(57)【特許請求の範囲】
【請求項１】
遊技場内に設けられ、遊技機による遊技により遊技者の所有となった有価価値の大きさをデジタル情報と景品交換するための処理を行う装置であって、
前記デジタル情報を蓄積しており、遊技場外に設けられるデジタル情報配信手段から、予めデジタル情報を受信する受信手段と、
該受信手段により受信したデジタル情報を記憶するデジタル情報記憶手段と、
前記有価価値の大きさを特定可能な情報が記録された記録媒体の記録情報を読み取る記録媒体読取手段と、
前記景品交換するデジタル情報の選択を受け付ける選択受付手段と、
該選択されたデジタル情報の送信先を特定可能な送信先特定情報を受け付ける送信先情報受付手段と、
前記選択されたデジタル情報の対価を前記有価価値の大きさから減算するための減算処理を行う減算処理手段と、
前記選択されたデジタル情報を前記デジタル情報記憶手段で記憶しているデジタル情報の中から抽出する処理を行う抽出処理手段と、
前記減算処理が行われたことを条件として、前記抽出されたデジタル情報を当該送信先特定情報から特定される送信先に送信する処理を行う送信処理手段と、
を備えることを特徴とする景品交換装置。
【請求項２】
請求項１に記載した景品交換装置であって、
前記選択受付手段により選択を受け付けた選択頻度を各デジタル情報毎に記憶する選択頻度記憶手段と、
前記デジタル情報記憶手段で記憶しているデジタル情報のうち、前記選択頻度記憶手段で記憶している選択頻度が所定の頻度より低いデジタル情報を消去する処理を行う消去処理手段と、を備えることを特徴とする景品交換装置。
【請求項３】
請求項１又は２に記載した景品交換装置であって、
前記選択受付手段は、選択可能な前記デジタル情報のリストを表示する表示手段を有することを特徴とする景品交換装置。
【請求項４】
請求項１〜３のいずれか１つに記載した景品交換装置であって、
前記送信処理手段は、前記抽出されたデジタル情報と共に該デジタル情報に関連する情報を前記送信先に送信する処理を行うことを特徴とする景品交換装置。
【請求項５】
請求項１〜４のいずれか１つに記載した景品交換装置であって、
前記選択可能なデジタル情報として、発売前のデジタル情報も含むことを特徴とする景品交換装置。
【請求項６】
請求項１〜５のいずれか１つに記載した景品交換装置であって、
前記選択されたデジタル情報を前記送信先に送信する日時の指定を受け付ける送信日時指定受付手段を備えることを特徴とする景品交換装置。
【請求項７】
請求項１〜６のいずれか１つに記載した景品交換装置であって、
前記選択されたデジタル情報と共に前記送信先に送信するメッセージを受け付けるメッセージ受付手段を備えることを特徴とする景品交換装置。
【請求項８】
請求項１〜７のいずれか１つに記載した景品交換装置であって、
前記送信先特定情報は、電子メールアドレスであることを特徴とする景品交換装置。
【請求項９】
請求項１〜７のいずれか１つに記載した景品交換装置であって、
前記送信先特定情報は、電話番号であることを特徴とする景品交換装置。
【請求項１０】
請求項１〜９のいずれか１つに記載した景品交換装置であって、
前記デジタル情報は、デジタル音楽情報，デジタル文字情報，及びデジタル画像情報から選択される一種以上からなる情報であることを特徴とする景品交換装置。
【請求項１１】
請求項１０に記載した景品交換装置であって、
前記デジタル情報が前記デジタル音楽情報を含む場合に、該デジタル音楽情報を再生して試聴するための試聴手段を備えることを特徴とする景品交換装置。
【請求項１２】
請求項１〜１１のいずれか１つに記載した景品交換装置であって、
前記送信に関連する情報を記録して発行する発行手段を備えることを特徴とする景品交換装置。
【発明の詳細な説明】
【０００１】
【発明の属する技術分野】
本発明は、遊技機による遊技により遊技者の所有となった有価価値の大きさを音楽データ等のデジタル情報（デジタルコンテンツ）と景品交換するための処理を行う装置に関し、さらに詳しくは、該景品交換されたデジタル情報を提供するにあたり、該デジタル情報を所定の記録メディアに書き込む必要がなく、該デジタル情報を指定の送信先に送信できるような景品交換装置に関する。
【０００２】
【従来の技術】
従来より、遊技機による遊技により遊技者の所有となった有価価値の大きさを景品と交換するための景品交換システムとしては、例えば以下のようなものが知られている。即ち、例えばパチンコ店等の遊技場では、パチンコ機等の遊技機による遊技により遊技者に景品玉等が付与され、遊技者が獲得した景品玉（以下「獲得玉」という。）等の数に応じて、遊技者の所有となった有価価値の大きさが特定される。この有価価値の大きさは、例えば有価価値の大きさを特定可能な情報が記録された記録媒体の記録情報を読み取り、その記録情報から特定される。
【０００３】
具体的には、会員である遊技者が獲得した獲得玉を貯玉として翌日以降に繰り越すことができる貯玉システムが導入されているパチンコ店において、遊技者が前記会員である場合には、計数された獲得玉の数が、記録情報である会員ＩＤと関連付けられて、貯玉の数としてホール管理装置に記憶され、記録媒体である会員カードから読み取った会員ＩＤ及び入力された暗証番号をホール管理装置に照会することにより、有価価値の大きさである貯玉の数が特定される。
【０００４】
あるいは、遊技者が前記会員でない場合には、計数された獲得玉の数が、記録情報である計数玉数として、同じく記録情報であるカードＩＤ及びカードの発行年月日・発行時間と共に、ホール管理装置及び計数カードに記録され、記録媒体である計数カードから読み取った記録情報（カードＩＤ，カードの発行年月日・発行時間，及び計数玉数）をホール管理装置に照会することにより、有価価値の大きさである獲得玉の数が特定される。
【０００５】
ここで有価価値の大きさとは、貯玉又は獲得玉（以下「所有玉」ともいう。）の数、あるいは所有玉の数を所定の比率で換算した金額等を意味する。なお、遊技機による遊技により遊技者に付与されるものは、獲得玉には限られず、獲得メダルや点数等でも良い。前記のようにして特定された有価価値の大きさは、パチンコ店内の景品カウンタで、遊技者が選択した特殊景品や一般景品と景品交換される。
【０００６】
しかし、従来の景品交換システムにおいては、以下のような問題点があった。即ち、その有価価値の大きさを一般景品と景品交換する場合には、遊技者が多くの有価価値を獲得したとしても、パチンコ店が予め仕入れた商品やサービスなどの非常に限られた範囲でしか景品を選ぶことができないため、遊技者が希望する景品が存在しないことが多かった。
【０００７】
また、その有価価値の大きさを特殊景品と景品交換した後に、特殊景品と交換するに満たない端数の有価価値の大きさ（いわゆる端玉）が残った場合には、前記会員でない遊技者は、有価価値を翌日以降に繰り越すことができないため、端数の有価価値の大きさで交換可能な一般景品（例えばタバコやチョコレートなど）とやむを得ず景品交換することが多かった。
【０００８】
一方、有価価値の大きさをパチンコ店が予め仕入れていない景品と景品交換できるシステムとしては、遊技者がパチンコ店内外に設置された端末装置からインターネットを介して商品メーカーやサイバーモールに対して景品を注文し、その景品が遊技者の自宅に後日配送されるものが知られている。
【０００９】
【発明が解決しようとする課題】
しかしながら、同システムにおいても、音楽データ等のデジタル情報を景品として提供し、有価価値の大きさを該デジタル情報と景品交換するという着想は全くなかった。
【００１０】
そして、有価価値の大きさをデジタル情報と景品交換することができるような装置を構成した場合においても、該景品交換されたデジタル情報を提供するにあたり、該デジタル情報を所定の記録メディアに書き込む必要があるため、以下のような問題が生ずる。
【００１１】
まず、デジタル情報を所定の記録メディアに書き込む際に、ある程度の待ち時間が必要であり、この待ち時間の間には、遊技者が遊技や他の作業（例えば食事や電話等）等を行うことができず、また遊技が行われずに遊技機の稼働率が下がるため、書込に要する待ち時間が無駄であった。
【００１２】
また、デジタル情報を書き込むための所定の記録メディアが必要であるため、遊技者が所定の記録メディアをその場に所持していない場合には、該デジタル情報を提供することができなかった。
【００１３】
本発明は、このような背景のもとになされたものであり、その目的は、遊技機による遊技により遊技者の所有となった有価価値の大きさを音楽データ等のデジタル情報（デジタルコンテンツ）と景品交換して、該景品交換されたデジタル情報を提供するにあたり、該デジタル情報を所定の記録メディアに書き込む必要がなく、従って書込に要する待ち時間が不要であり、また遊技者が所定の記録メディアをその場に所持していない場合であっても該デジタル情報を提供することができるような景品交換装置を提供することにある。
【００１４】
【課題を解決するための手段】
本発明は、前記課題を解決するために、次のような手段を採る。
【００１５】
まず、請求項１に係る発明は、遊技場内に設けられ、遊技機による遊技により遊技者の所有となった有価価値の大きさをデジタル情報と景品交換するための処理を行う装置であって、前記デジタル情報を蓄積しており、遊技場外に設けられるデジタル情報配信手段から、予めデジタル情報を受信する受信手段と、該受信手段により受信したデジタル情報を記憶するデジタル情報記憶手段と、前記有価価値の大きさを特定可能な情報が記録された記録媒体の記録情報を読み取る記録媒体読取手段と、前記景品交換するデジタル情報の選択を受け付ける選択受付手段と、該選択されたデジタル情報の送信先を特定可能な送信先特定情報を受け付ける送信先情報受付手段と、前記選択されたデジタル情報の対価を前記有価価値の大きさから減算するための減算処理を行う減算処理手段と、前記選択されたデジタル情報を前記デジタル情報記憶手段で記憶しているデジタル情報の中から抽出する処理を行う抽出処理手段と、前記減算処理が行われたことを条件として、前記抽出されたデジタル情報を当該送信先特定情報から特定される送信先に送信する処理を行う送信処理手段と、を備えることを特徴とする景品交換装置である。
【００１６】
また、請求項２に係る発明は、請求項１に記載した景品交換装置であって、前記選択受付手段により選択を受け付けた選択頻度を各デジタル情報毎に記憶する選択頻度記憶手段と、前記デジタル情報記憶手段で記憶しているデジタル情報のうち、前記選択頻度記憶手段で記憶している選択頻度が所定の頻度より低いデジタル情報を消去する処理を行う消去処理手段と、を備えることを特徴とする景品交換装置である。
【００１７】
また、請求項３に係る発明は、請求項１又は２に記載した景品交換装置であって、前記選択受付手段は、選択可能な前記デジタル情報のリストを表示する表示手段を有することを特徴とする景品交換装置である。
【００１８】
また、請求項４に係る発明は、請求項１〜３のいずれか１つに記載した景品交換装置であって、前記送信処理手段は、前記抽出されたデジタル情報と共に該デジタル情報に関連する情報を前記送信先に送信する処理を行うことを特徴とする景品交換装置である。
【００１９】
また、請求項５に係る発明は、請求項１〜４のいずれか１つに記載した景品交換装置であって、前記選択可能なデジタル情報として、発売前のデジタル情報も含むことを特徴とする景品交換装置である。
【００２２】
また、請求項６に係る発明は、請求項１〜５のいずれか１つに記載した景品交換装置であって、前記選択されたデジタル情報を前記送信先に送信する日時の指定を受け付ける送信日時指定受付手段を備えることを特徴とする景品交換装置である。
【００２３】
また、請求項７に係る発明は、請求項１〜５のいずれか１つに記載した景品交換装置であって、前記選択されたデジタル情報と共に前記送信先に送信するメッセージを受け付けるメッセージ受付手段を備えることを特徴とする景品交換装置である。
【００２４】
また、請求項８に係る発明は、請求項１〜７のいずれか１つに記載した景品交換装置であって、前記送信先特定情報は、電子メールアドレスであることを特徴とする景品交換装置である。
【００２５】
また、請求項９に係る発明は、請求項１〜７のいずれか１つに記載した景品交換装置であって、前記送信先特定情報は、電話番号であることを特徴とする景品交換装置である。
【００２６】
また、請求項１０に係る発明は、請求項１〜９のいずれか１つに記載した景品交換装置であって、前記デジタル情報は、デジタル音楽情報，デジタル文字情報，及びデジタル画像情報から選択される一種以上からなる情報であることを特徴とする景品交換装置である。
【００２７】
また、請求項１１に係る発明は、請求項１０に記載した景品交換装置であって、前記デジタル情報が前記デジタル音楽情報を含む場合に、該デジタル音楽情報を再生して試聴するための試聴手段を備えることを特徴とする景品交換装置である。
【００２８】
さらに、請求項１２に係る発明は、請求項１〜１１のいずれか１つに記載した景品交換装置であって、前記送信に関連する情報を記録して発行する発行手段を備えることを特徴とする景品交換装置である。
【００２９】
上記課題を解決するための手段の具体例を、発明の実施の形態及び図面の表記と対応させて説明する。遊技機にはパチンコ機が対応する。有価価値の大きさには貯玉又は獲得玉（所有玉）の数が対応する。記録媒体には会員カード４又は計数カード５が対応する。記録情報には会員ＩＤや計数玉数等が対応する。デジタル情報には音楽データが対応する。送信先を特定可能な情報には電子メールアドレスや電話番号が対応する。送信先にはパーソナルコンピュータ（以下「パソコン」という。）５２，６２が対応する。
【００３０】
記録媒体読取手段にはカードリーダ１３が対応する。選択受付手段にはタッチパネル式ディスプレイ１５が対応する。減算処理手段には制御部１２が対応する。送信先情報受付手段にはタッチパネル式ディスプレイ１５が対応する。送信処理手段には制御部１２が対応する。表示手段にはタッチパネル式ディスプレイ１５が対応する。選択されたデジタル情報に関連する情報には歌詞やジャケット写真等が対応する。
【００３１】
デジタル情報配信手段には音楽配信サーバ４０が対応する。デジタル情報記憶手段にはハードディスク１６が対応する。送信日時指定受付手段にはタッチパネル式ディスプレイ１５が対応する。メッセージ受付手段にはタッチパネル式ディスプレイ１５が対応する。試聴手段にはヘッドフォン１９が対応する。送信に関連する情報には送信先の電子メールアドレスや送信予定日時等が対応し、発行手段にはプリンタ２０が対応する。
【００３２】
【発明の実施の形態】
以下、本発明の実施の形態を、図面を参照して説明する。
【００３３】
［１．景品交換装置１０の概念］
まず、本発明に係る景品交換装置１０の概念について説明する。ここで、図１は、景品交換装置１０を含む景品交換システム１の構成の一例を表す機能ブロック図であり、図５は、景品交換装置の動作の概要を表すフローチャートである。
【００３４】
景品交換装置１０は、図５に示すように、遊技機による遊技により遊技者の所有となった有価価値の大きさをデジタル情報と景品交換するための処理を行うものであり、デジタル情報の選択の受付（Ｓ２００の「選択受付」）と、該選択されたデジタル情報の対価を前記有価価値の大きさから減算するための処理（Ｓ３００の「減算処理」）と、該デジタル情報の送信先を特定可能な情報の受付（Ｓ４００の「送信先情報受付」）とを行った後に、該デジタル情報を前記送信先を特定可能な情報から特定される送信先に送信するための処理（Ｓ５００の「送信処理」）を行うことにより、景品交換されたデジタル情報を指定の送信先に送信することができるものである。なお、「選択受付」「減算処理」「送信先情報受付」の順序は、前記のものには限定されない。
【００３５】
即ち、この景品交換装置１０によれば、図１に示すように、景品交換されたデジタル情報を提供するにあたり、該デジタル情報を指定の送信先（例えばパソコン５２，６２等）に送信することができるので、該デジタル情報を所定の記録メディア７に書き込む必要がなく、書込に要する待ち時間が不要である。
【００３６】
また、景品交換されたデジタル情報を提供するにあたり、例えば送信先を特定可能な情報として遊技者に係る電子メールアドレスを受け付けた場合には、景品交換されたデジタル情報を送信先である遊技者の自宅５０にあるパソコン５２に送信することができるので、該デジタル情報を所定の記録メディア７に書き込む必要がなく、遊技者が所定の記録メディア７をその場に所持していない場合であっても、該デジタル情報を遊技者に提供することができ、遊技者の利便性を向上させることができる。
【００３７】
なお、景品交換されたデジタル情報を提供するにあたり、例えば送信先を特定可能な情報として遊技者の友人に係る電子メールアドレスを受け付けた場合には、景品交換されたデジタル情報を送信先である遊技者の友人宅６０にあるパソコン６２に送信することができるので、該デジタル情報をプレゼントとして遊技者の友人に提供することができ、遊技者の利便性を向上させることができる。
【００３８】
また、記録メディア７を受け付けてデジタル情報を記録メディア７に書き込むための記録メディア書込手段（後述する記録メディアライタ１７）を備える必要がなくなるので、装置の構成を簡素化することができる。
【００３９】
なお、この景品交換装置１０は、遊技機による遊技により遊技者の所有となった有価価値の大きさを特定可能な情報が記録された記録媒体の記録情報を読み取る「記録媒体読取」（Ｓ１００）も行う。また、この景品交換装置１０は、遊技者の選択により、前記「送信先情報受付」及び「送信処理」を行わずに、デジタル情報の予約を受け付け、またデジタル情報を所定の記録メディアに書き込む「予約・書込」（Ｓ６００）を行う。
【００４０】
ここで有価価値には、例えば遊技機による遊技の結果として遊技者に付与される獲得有価価値（例えば景品玉）の他に、金銭と交換に遊技者に付与される貸与有価価値（例えば貸玉）も含まれる。以下においては、例えば遊技機がパチンコ機であり、有価価値の大きさとして貯玉又は獲得玉（所有玉）の数である場合について説明を行うが、例えば遊技機はスロットマシン等でも良く、有価価値の大きさとしては貯メダル又は獲得メダルの数等でも良い。
【００４１】
また、デジタル情報は、デジタルデータ化された各種の情報（デジタルコンテンツ）であり、例えば後述するデジタル情報配信手段から通信回線を介して配信されるものや、後述する記憶媒体（例えばデジタル多用途ディスクを利用した読出専用メモリ（ＤＶＤ−ＲＯＭ）等）に予め記憶されているものである。このデジタル情報は、例えばデジタル音楽情報，デジタル文字情報，及びデジタル画像情報から選択される一種以上からなる情報である。
【００４２】
具体的には、デジタル音楽情報としては歌謡曲及びクラシック音楽等の音楽データがあり、デジタル文字情報としては報道記事，雑誌記事及び小説等の文字データがあり、デジタル画像情報としては報道写真及び絵画等の静止画データや無声映画等の動画データがあり、それらの組み合わせであるカラオケ及び映画等のデータも含まれる。なおデジタル情報は、例示のものには限定されず、さらにはパソコンソフト及びゲームソフト等のソフトウェアや、該ソフトウェアにかけられている暗号を解読するための鍵等も含まれる。
【００４３】
なお、以下においては、前記デジタル情報として、デジタル情報配信手段である音楽配信サーバ４０からインターネット２等の通信回線を介して配信される歌謡曲の音楽データ（以下単に「音楽データ」という。）を例に説明を行う。このような音楽データであれば、配信されるデータ量が数メガバイト程度と比較的少ないため、比較的時間がかからずにダウンロードが可能であり、またその対価が数百円程度と比較的低額であるため、前記端数の有価価値の大きさとの景品交換に適し、パチンコ店における景品交換に好適である。
【００４４】
この音楽データは、必要に応じて、著作権を保護するために暗号化されて、音楽配信サーバ４０から配信される。この暗号化の方式としては、例えば公開鍵方式を用いることができる。これは、暗号化のための鍵である公開鍵と暗号を解読するための鍵である秘密鍵の二つの鍵を用いる方式である。
【００４５】
具体的には、二つの鍵が景品交換装置１０（パソコン５２，６２）で作成され、公開鍵が音楽データを配信する側の音楽配信サーバ４０に送られる一方、秘密鍵が音楽データの配信を受ける側の景品交換装置１０（パソコン５２，６２）に保存され、公開鍵で暗号化された音楽データが音楽配信サーバ４０から景品交換装置１０（パソコン５２，６２）に配信されて、秘密鍵と共に後述する記録メディア７（パソコン５２，６２のハードディスク）に記録される。
【００４６】
この公開鍵で暗号化された音楽データは、対応する秘密鍵でしか解読できない。従って、公開鍵で暗号化された音楽データが他の記録メディアにコピーされたとしても、秘密鍵は元の記録メディア７（パソコン５２，６２のハードディスク）に保存され他の記録メディアにはコピーされないため、他の記録メディアにコピーされた音楽データは解読することができず、著作権が保護される。
【００４７】
また、この音楽データは、必要に応じて、配信されるデータ量を少なくするために圧縮符号化されて、音楽配信サーバ４０から配信される。この圧縮符号化の方式としては、例えばＭＰ３方式，登録商標ＡＴＲＡＣ３方式，登録商標ＴｗｉｎＶＱ方式，登録商標ＷＭＡ方式，登録商標ＡＡＣ方式等、種々の方式を用いることができる。
【００４８】
さらに、送信先は、例えば景品交換された音楽データ等のデジタル情報を受信可能な情報端末、即ち遊技者の自宅５０にあるパソコン５２や、遊技者の友人宅６０にあるパソコン６２や、遊技者等が所有する携帯情報端末（例えば携帯電話）等であり、遊技者の望む用途に応じて指定される。また、送信先を特定可能な情報は、例えば該情報端末を特定可能な情報、即ち電子メールアドレスや電話番号等である。なお送信先は例示のものには限定されず、例えば遊技者の家族，親戚，恋人，知人等に係る送信先でも良く、また送信先を特定可能な情報も例示のものには限定されない。
【００４９】
ここで、例えば遊技者自身が音楽データを利用するという用途を望む場合には、送信先を特定可能な情報として遊技者に係る電子メールアドレスを受け付け、景品交換された音楽データが、該送信先である遊技者の自宅５０にあるパソコン５２等に、例えば電子メールの添付ファイルとして送信・配信されることにより、該要求が満たされる。あるいは、遊技者に係る電話番号を受け付け、景品交換された音楽データが、遊技者の携帯電話等に、例えば着信メロディ配信サービスの如く送信・配信されることにより、該要求が満たされる。
【００５０】
また、例えば遊技者の友人にプレゼントとして音楽データを提供するという用途を望む場合には、送信先を特定可能な情報として遊技者の友人に係る電子メールアドレス等を受け付け、景品交換された音楽データ（及び必要に応じて後述するメッセージ）が、該送信先である遊技者の友人宅６０にあるパソコン６２等に、例えば電子メールの添付ファイルとして送信・配信されることにより、該要求が満たされる。あるいは、遊技者の友人に係る電話番号を受け付け、景品交換された音楽データ（及び必要に応じて後述するメッセージ）が、遊技者の友人の携帯電話等に、例えば着信メロディ配信サービスの如く送信・配信されることにより、該要求が満たされる。
【００５１】
［２．景品交換装置１０の構成］
次に、本発明に係る景品交換装置１０の構成について説明する。ここで、前述した図１の他に、図２は、景品交換装置１０の外観の一例を表す斜視図であり、図３（ａ）（ｂ）（ｃ）は、それぞれ会員カード４，計数カード５，予約カード６の一例を表す正面図であり、図４（ａ）（ｂ）は、それぞれ音楽データのリスト８，レシート９の一例を表す正面図である。
【００５２】
景品交換装置１０を含む景品交換システム１においては、図１に示すように、遊技者は会員カード４，計数カード５を所有しており、また遊技者にはレシート９が付与される。
【００５３】
会員カード４及び計数カード５は、記録媒体の一例であり、遊技機による遊技により遊技者の所有となった有価価値の大きさを特定可能な情報が記録されたものである。この記録媒体は、有価価値の大きさを特定可能な情報（例えば金額データ等）が記録された記録媒体（例えばプリペイドカード等の遊技用記録媒体や、交換専用カード等の交換用記録媒体）でも良い。以下においては、会員カード４及び計数カード５が磁気カードである場合を例に説明を行う。なお、記録媒体の属性は磁気カードには限定されず、例えば感熱式カードやＩＣカード等でも良く、その形態もカード型には限定されず、例えばコイン型やアクセサリ型等でも良い。
【００５４】
会員カード４は、図３（ａ）に示すように、遊技者に付与された有価価値の大きさを特定可能な記録情報が記録された記録媒体であり、例えば住所，氏名，電話番号，電子メールアドレス，生年月日，及び性別等の登録情報を予め登録した会員である遊技者に対して発行される磁気カードである。この会員カード４の磁気ストライプ部４ａには、カードＩＤ，会員ナンバー等の会員ＩＤが記録情報として記録されている。
【００５５】
この記録情報である会員ＩＤが後述するカードリーダ１３で読み取られ、暗証番号と共に後述するホール管理装置３０の会員ＤＢ３３に照会されることにより、貯玉ＤＢ３４に記憶されている有価価値の大きさ（ここでは貯玉の数）が特定され、また会員ＤＢ３３に記憶されている遊技者に係る電子メールアドレスが特定される。従って、電子メールアドレスをその都度受け付けなくても、会員である遊技者に係る電子メールアドレスを特定可能である。また遊技者が選択した音楽データを集計することにより、遊技者の好みを把握して販売戦略に活用することもできる。
【００５６】
計数カード５は、図３（ｂ）に示すように、遊技者に付与された有価価値の大きさを特定可能な情報が記録された記録媒体であり、前記会員でない遊技者に対して発行される磁気カードである。この計数カード５の磁気ストライプ部５ａには、カードＩＤ及びカードの発行年月日・発行時間と共に、計数された獲得玉の数である計数玉数が記録情報として記録されている。この記録情報が後述するカードリーダ１３で読み取られ、後述するホール管理装置３０のカードＤＢ３５に照会されることにより、計数カード５に記録されている有価価値の大きさ（ここでは獲得玉の数）が特定される。
【００５７】
なお、磁気ストライプ部５ａには、計数玉数に代えて、計数玉数が景品交換後に減算された残玉数が記録されている場合もある。また、中央の玉数表示部５ｂには、計数玉数（残玉数）が遊技者に見えるように表示されている。さらに、計数カード５は、磁気カードでなく、記録情報がバーコードとして印刷されたレシート等であっても良い。
【００５８】
レシート９は、図４（ｂ）に示すように、送信に関連する情報や、音楽データに関連する情報が記録されたものであり、有価価値の大きさを音楽データと景品交換した遊技者に対して発行されるレシート状のいわゆる確認証である。このレシート９の情報表示部９ａには、送信先の電子メールアドレスや送信予定日時等の送信に関連する情報が印刷され、その下の情報表示部９ｂには、曲名，歌手名，歌詞（１番…と表示されている部分），及びジャケット写真（図示外）等の音楽データに関連する情報が印刷され、その下のバーコード表示部９ｃには、景品交換の内容がバーコードとして印刷されている。
【００５９】
このバーコードがバーコードリーダ（図示外）で読み取られ、後述するホール管理装置３０の景品交換ＤＢ３６に照会されることにより、景品交換の内容（例えば選択された音楽データ，その音楽データの対価，着信又は書込がされているか否か等）が特定される。従って、例えば音楽データが送信先に着信していない場合等のトラブル時において、景品交換の内容を容易に確認することができる。なお、特に音楽データに関連する情報は、レシート９ではなく、デジタルデータとして送信先に送信し、又は記録メディア７に記録して、音楽データと併せて遊技者に提供するようにしても良い。
【００６０】
なお、景品交換装置１０を含む景品交換システム１においては、図１に示すように、必要に応じて、遊技者は所定の記録メディア７も所有しており、また遊技者には予約カード６も付与される。これらは前記「予約・書込」（図５のＳ６００参照）において用いられるものである。
【００６１】
予約カード６は、図３（ｃ）に示すように、デジタル情報の予約を特定可能な予約特定情報が記録された予約特定用記録媒体であり、景品交換された音楽データを前記送信ではなく予約した後に記録メディア７にその場で書き込んで持ち帰ることを選択した遊技者に対して発行される磁気カード、即ちいわゆる予約券・引換券である。なお、予約カード６の属性は磁気カードには限定されず、例えば感熱式カードやＩＣカード等でも良く、その形態もカード型には限定されず、例えばコイン型やアクセサリ型等でも良い。また、予約特定用記録媒体は、例えば予約特定情報がバーコードや予約番号として印刷されたレシート状の紙片でも良い。
【００６２】
この予約カード６の磁気ストライプ部６ａには、カードＩＤが予約特定情報として記録されている。この予約特定情報であるカードＩＤが後述するカードリーダ１３で読み取られることにより、予約情報が受け付けられたことになり、後述するハードディスク１６に記憶されている予約情報と照合され、該予約情報に含まれる楽曲ＩＤが特定されて、該楽曲ＩＤに係る音楽データの書込が可能となる。
【００６３】
なお、磁気ストライプ部６ａには、景品交換装置１０のバックアップを目的として、前記楽曲ＩＤ等の予約情報が記録される場合もある。また、中央の情報表示部６ｂには、予約に関連する情報（ここでは「□月□日」という音楽データの発売予定日）が、遊技者が目視可能なように記録（表示）されている。なお、予約カード６を発行せずに、予約番号等の予約特定情報を文字や音声等で遊技者に報知するようにしても良い。
【００６４】
所定の記録メディア７は、図１に示すように、音楽データを記録するための媒体、換言すればデジタル情報記録用メディアであり、景品交換された音楽データを前記送信ではなくその場で書き込んで持ち帰ることを望む遊技者が所有するもの，該遊技者がパチンコ店の景品カウンタで景品交換したもの，又は後述する記録メディアストッカ１８から取り出されもの等である。
【００６５】
この記録メディア７は、例えばミニディスク（ＭＤ），各種の不揮発性メモリ（例えば登録商標マルチメディアカード，登録商標スマートメディア，登録商標メモリスティック，登録商標ＳＤメモリカード等），フレキシブルディスク（ＦＤ），追記型コンパクトディスク（ＣＤ−Ｒ），書換型コンパクトディスク（ＣＤ−ＲＷ），書換型デジタル多用途ディスク（ＤＶＤ−ＲＡＭ，ＤＶＤ−ＲＷ），及び光磁気ディスク（ＭＯ）等である。なお、記録メディア７は、例示のものには限定されず、例えば携帯電話やメモリープレイヤ等の内蔵メモリでも良い。
【００６６】
景品交換装置１０を含む景品交換システム１は、図１に示すように、遊技場内（パチンコ店内，ホール内）にある景品交換装置１０及びホール管理装置３０と、遊技場外（パチンコ店外，ホール外）にある音楽配信サーバ４０，遊技者の自宅５０及び遊技者の友人宅６０等からなる。
【００６７】
ここで、景品交換装置１０の通信部１１ａは、デジタル総合回線３ａ及びインターネット２を介して、音楽配信サーバ４０の通信部４１，遊技者の自宅５０にあるターミナルアダプタ５１，及び遊技者の友人宅６０にあるターミナルアダプタ６１と通信可能とされている。また、景品交換装置１０の通信部１１ｂは、ＬＡＮ３ｂを介して、ホール管理装置３０の通信部３１と通信可能とされている。なお、インターネット２，デジタル総合回線３ａ及びＬＡＮ３ｂは通信回線の一例であり、各通信部を通信可能に接続するものであれば特に限定されず、例えばインターネット２を介さなくても良く、デジタル総合回線３ａに代えてケーブルテレビ回線等の専用回線や衛星回線を用いても良い。
【００６８】
景品交換装置１０は、図１に示すように、通信部１１ａ，１１ｂにバスを介して接続される制御部１２と、制御部１２にバスを介して接続されるカードリーダ１３，タッチパネル式ディスプレイ１５，ハードディスク１６，ヘッドフォン１９，及びプリンタ２０を備えている。
【００６９】
通信部１１ａは、デジタル総合回線３ａ及びインターネット２等の通信回線を介して、景品交換装置１０と音楽配信サーバ４０，遊技者の自宅５０，及び遊技者の友人宅６０との間の通信を司るものであり、第一に音楽配信サーバ４０から音楽データの配信を受ける機能，第二に景品交換された音楽データを送信先に送信する機能，及び第三に景品交換された音楽データを送信先に配信することを要求する信号（配信要求信号）を音楽配信サーバ４０に送信する機能等を備えるものでもある。
【００７０】
ここで、音楽配信サーバ４０から音楽データの配信を受ける第一の機能を実現する方式としては、音楽データの選択を受け付ける前（例えばパチンコ店の営業時間前，営業時間中の一定時間おき，及び／又は営業時間後等の任意のタイミング）に、選択可能な発売中の全ての音楽データが予め音楽配信サーバ４０から配信されている「事前配信」方式がある。
【００７１】
この方式では、配信された音楽データは後述するハードディスク１６に記憶され、音楽データの選択を受け付けた後に、景品交換された音楽データがハードディスク１６から読み出され、電子メールアドレス等を受け付けた後に図１１（ｂ）に示すように第二の機能により送信先に送信され、又は前記「予約・書込」（図５のＳ６００参照）が選択された場合に図１２に示すように記録メディア７に書き込まれる。
【００７２】
なお、「事前配信」方式の変形としては、同様に音楽データが選択される前に、選択可能な発売中の一部の音楽データ（例えば選択される頻度が高い音楽データ）が予め音楽配信サーバ４０から配信されている方式がある。
【００７３】
この方式でも、配信された音楽データは後述するハードディスク１６に記憶され、音楽データの選択を受け付けた後に、景品交換された音楽データがハードディスク１６から読み出され、電子メールアドレス等を受け付けた後に図１１（ｂ）に示すように第二の機能により送信先に送信され、又は前記「予約・書込」（図５のＳ６００参照）が選択された場合に図１２に示すように記録メディア７に書き込まれる。なお、予め音楽配信サーバ４０から配信されていない音楽データ（例えば選択される頻度が低い音楽データ）が選択された場合には、次に述べる方式に従う。
【００７４】
また、配信要求信号を音楽配信サーバ４０に送信する第三の機能を実現する方式としては、図１１（ｂ）に示すように、音楽データの選択を受け付け、送信先を特定可能な情報を受け付けた後に、その都度、景品交換された発売中の音楽データを送信先に配信することを要求する信号（配信要求信号）を音楽配信サーバ４０に送信する「その都度配信」方式がある。
【００７５】
この方式では、配信要求信号を受信した音楽配信サーバ４０は、景品交換装置１０を経由せずに音楽データを送信先に直接配信する。なお、前記「予約・書込」（図５のＳ６００参照）が選択された場合には、配信要求された音楽データは、送信先には送信されずに景品交換装置１０に送信され、後述するハードディスク１６に記憶され、ハードディスク１６から読み出されて記録メディア７に書き込まれるか、又はハードディスク１６に記憶されずに、配信されると同時に記録メディア７に書き込まれる。
【００７６】
なお、発売前の音楽データが選択された場合には、該音楽データが発売された後に、前記「事前配信」方式又は前記「その都度配信」方式のいずれかにより、景品交換装置１０を経由して該音楽データが送信先に配信され、又は景品交換装置１０を経由せずに該音楽データが送信先に直接配信される。また、後述する音楽データのリスト８が景品交換装置１０に配信されることにより、後述するハードディスク１６に記憶されているリスト８の内容が更新される。
【００７７】
通信部１１ｂは、ＬＡＮ３ｂ等の通信回線を介して、景品交換装置１０とホール管理装置３０との間の通信を司るものである。
【００７８】
制御部１２は、計算機能を備える中央演算処理装置（以下「ＣＰＵ」という。），メモリ機能を備えるランダムアクセスメモリ（以下「ＲＡＭ」という。），及びシステムプログラムを備えるリードオンリーメモリ（以下「ＲＯＭ」という。）等が、バスを介して接続されたコンピュータである。このＲＯＭには、例えば後述する種々の判断・処理を行うプログラムや、有価価値の大きさを音楽データと景品交換する景品交換プログラムや、必要に応じて、配信される音楽データを暗号化するための暗号を作成する暗号化プログラムが記憶されている。
【００７９】
また、このＲＯＭには、景品交換された音楽データを通信部１１ａから送信先に送信するためのプログラムが記憶されている。通信部１１ａは、このプログラムに基づいて作動することにより、景品交換された音楽データを送信先に送信する手段として構成される。なお、制御部１２は、少なくとも景品交換されたデジタル情報を送信先に送信するための処理（実際の送信の前段階の処理）を行う送信処理手段として構成されれば良い。また、制御部１２は、選択された音楽データと共に、該音楽データに関連する情報（例えば歌詞やジャケット写真等）を送信先に送信するための処理を行う送信処理手段でもある。
【００８０】
さらに、このＲＯＭには、音楽データの対価を有価価値の大きさから減算するためのプログラムが記憶されている。制御部１２は、このプログラムに基づいて作動することにより、音楽データの対価を有価価値の大きさから減算する手段として構成される。なお、制御部１２は、少なくとも選択されたデジタル情報の対価を有価価値の大きさから減算するための処理（実際の減算の前段階の処理）を行う減算処理手段として構成されれば良い。換言すれば、実際の減算は、必ずしも景品交換装置１０において行われる必要はなく、景品交換システム１のいずれかの構成（例えば後述するホール管理装置３０の制御部３２等）において行われれば良い。
【００８１】
なお、このＲＯＭには、楽曲ＩＤ等の予約情報を後述するハードディスク１６に記憶するためのプログラムも記憶されている。ハードディスク１６は、このプログラムに基づいて作動することにより、予約情報を記憶する手段として構成される。なお、制御部１２は、少なくとも予約情報を記憶するための処理（実際の記憶の前段階の処理）を行う予約情報記憶手段として構成されれば良い。換言すれば、実際の記憶は、必ずしも景品交換装置１０において行われる必要はなく、景品交換システム１のいずれかの構成（例えば後述するホール管理装置３０の景品交換ＤＢ３６等）において行われれば良い。
【００８２】
カードリーダ１３は、記録媒体読取手段の一例であり、会員カード４から記録情報を読み取る機能，及び計数カード５から記録情報を読み取り該記録情報を書き換える機能を備えるものである。このカードリーダ１３において、会員カード４又は計数カード５の記録情報（会員ＩＤ，カードＩＤ）が読み取られることにより、有価価値の大きさが特定される。
【００８３】
また、カードリーダ１３は、予約情報受付手段の一例でもあり、予約情報を受け付ける機能を備え、具体的には、予約カード６のカードＩＤ（即ち予約特定情報）を読み取る機能，及び必要に応じてバックアップを目的として予約カード６に予約情報を書き込む機能を備えるものである。このカードリーダ１３において、予約カード６のカードＩＤが読み取られることにより、予約情報が受け付けられたことになり、後述するハードディスク１６に記憶されている予約情報と照合され、該予約情報に含まれる楽曲ＩＤが特定されて、該楽曲ＩＤに係る音楽データの書込が可能になる。
【００８４】
ここで、このカードリーダ１３は、記録媒体を受け付けるための記録媒体受付部を有し、この例では、図２に示すように、会員カード４，計数カード５，及び予約カード６を挿入し排出するためのカード挿入・排出口１３ａを有する。なお、記録媒体読取手段及び予約情報受付手段は、同様の機能を備えるものであれば、例えば記録媒体受付部の近傍にある記録媒体と交信して、非接触で記録情報を読み取り書き込むもの（例えばブルートゥースに対応したもの）でも良く、またレシート状の紙片に印刷されたバーコードを読み取るバーコードリーダでも良く、さらに予約番号等の予約特定情報の入力を受け付けるタッチパネル式ディスプレイ１５等でも良い。
【００８５】
さらに、このカードリーダ１３は、記録媒体発行手段の一例でもあり、遊技者による予約の選択を受け付けた場合に、音楽データの予約を特定可能なカードＩＤ（即ち受付特定情報）が記録された予約カード６（即ち予約特定用記録媒体）を発行する機能を備えるものである。
【００８６】
タッチパネル式ディスプレイ１５は、各種の情報を表示し、各種の入力を受け付けるものであり、具体的には、第一に音楽データの選択を受け付ける選択受付手段としての機能，また選択可能な音楽データのリスト８を表示する表示手段としての機能，第二に送信先を特定可能な情報を受け付ける送信先情報受付手段としての機能，第三に景品交換された音楽データを送信先に送信する日時の指定を受け付ける送信日時指定受付手段としての機能，及び第四に景品交換された音楽データと共に送信先に送信するメッセージを受け付けるメッセージ受付手段としての機能等を備えるものである。
【００８７】
このタッチパネル式ディスプレイ１５では、例えば後述する図１５〜図１９に示すように、各種の情報が画面上に表示され、遊技者やパチンコ店の店員等の操作者が画面上の適宜の部位に触れることにより、画面上に配置された透明電極が通電して各種の入力を受け付ける。
【００８８】
具体的には、第一の選択受付手段及び表示手段として機能する場合には、図１６のＤ８０９に示すように、選択可能な音楽データのリスト８が画面上に表示され、操作者の入力によって音楽データの選択（予約）が受け付けられる。
【００８９】
ここでリスト８には、図４（ａ）に示すように、発売の予定，試聴の可否，曲名，歌手名，景品交換するのに必要な玉数，及びその音楽データの容量が、選択可能な曲毎に表示されている。また、このリスト８には、発売中の音楽データの他に、発売予定日が□月□日と表示された発売前の音楽データも示されており、発売前の音楽データの予約をすることもできる。
【００９０】
また、第二の送信先情報受付手段として機能する場合には、図１７のＤ８１８に示すように、キーボードが画面上に表示され、操作者の入力によって送信先を特定可能な情報である電子メールアドレスや電話番号等（ここでは「abc@def.com」という電子メールアドレス）が受け付けられる。この機能を備え、かつ景品交換された音楽データを送信先に送信するための処理が制御部１２において行われることにより、景品交換された音楽データを、電子メールアドレスや電話番号等により特定されるパソコン５２，６２や携帯電話等に、例えば電子メールの添付ファイルとして，あるいは着信メロディ配信サービスの如く送信・配信することができる。
【００９１】
さらに、第三の送信日時指定受付手段として機能する場合には、図１７のＤ８２０に示すように、テンキーが画面上に表示され、操作者の入力によって送信日時（ここでは「□月□日  □時□分」）の指定が受け付けられる。この機能を備え、かつ指定の日時に景品交換された音楽データを送信先に送信するための処理が制御部１２において行われることにより、遊技者の望む用途（例えば遊技者の友人の誕生日に合わせて音楽データをプレゼントする）や、遊技者の都合に合わせて、景品交換された音楽データを送信先に送信・配信することができる。
【００９２】
さらにまた、第四のメッセージ受付手段として機能する場合には、図１８のＤ８２２に示すように、キーボードが画面上に表示され、操作者の入力によってメッセージ（ここでは「お誕生日おめでとう  ××さんへ  ××より」）が受け付けられる。この機能を備え、かつ景品交換された音楽データと共にメッセージを送信先に送信するための処理が制御部１２において行われることにより、遊技者の望む用途（例えば遊技者の友人の誕生日に合わせて音楽データをプレゼントする）に合わせて、景品交換された音楽データと共にメッセージを送信先に送信することができる。なお、メッセージの対価を有価価値の大きさから減算するための処理を行うように構成し、遊技場がメッセージに応じた対価を景品代として徴収することもできる。
【００９３】
なお、選択受付手段，表示手段，送信先情報受付手段，送信日時指定受付手段，及びメッセージ受付手段は、前記の各機能を備えるものであれば、例えば各種の情報を表示するディスプレイと、各種の入力を受け付けるキーボード，音声認識装置，バーコードリーダ，スキャナ，又は入力端子等との組み合わせによるものでも良い。
【００９４】
ハードディスク１６は、前記の如く楽曲ＩＤ等の予約情報を記憶する手段である。ここで予約情報は、第一に発売前の音楽データが選択された場合に記憶され、該音楽データが発売された後に読み出されて送信又は書込を実行するもの，第二に送信日時が指定された場合に記憶され、該送信日時が到達したときに読み出されて送信を実行するもの，及び第三に予約が選択された場合に記憶され、予約カード６を受け付けた後に読み出されて書込を実行するもの等である。
【００９５】
また、ハードディスク１６は、デジタル情報記憶手段の一例でもあり、前記「事前配信」方式又は前記「その都度配信」方式により配信される音楽データを記憶する機能を備えるものである。このハードディスク１６には、景品交換された音楽データの楽曲ＩＤに基づいて、記憶されている音楽データをハードディスク１６内で検索して読み出すプログラムが記憶されており、また音楽データの選択のための前記リスト８も記憶されている。なお、予約情報記憶手段及びデジタル情報記憶手段は、同様の機能を備えるものであれば、他の大容量の記憶媒体でも良い。
【００９６】
なお、この景品交換装置１０においては、ハードディスク１６に記憶されている音楽データが、一定条件の下に消去されるように構成することができる。例えば、選択される頻度が低い音楽データや、配信開始後に一定期間経過した古い音楽データが、順次消去されるように構成する。このように構成すれば、ハードディスク１６の記憶容量を有効に活用することができ、空いた記憶容量を活用して、ニーズが高い音楽データを優先的に提供することができる。
【００９７】
また、これとは逆に、この景品交換装置１０においては、配信される音楽データが、一定条件の下にハードディスク１６に蓄積されるように構成することもできる。例えば、選択される頻度が高い音楽データが配信された場合に該音楽データが記憶されるように構成すれば、次に該音楽データが選択された場合に該音楽データの配信を受ける必要がないので、ニーズが高い音楽データを効率的に提供することができる。
【００９８】
ヘッドフォン１９は、試聴手段の一例であり、選択された音楽データを有価価値の大きさと景品交換する前に、その音楽データを再生して試聴することができる機能を備えるものである。このヘッドフォン１９を備えることにより、図４（ａ）に示すリスト８で試聴の欄に「可」と表示されている曲を選択すると、その曲が所定の時間（例えば１分間）だけ再生されるので、ヘッドフォン１９を装着した遊技者がその曲を試聴することができる。従って、遊技者がその曲の内容を確かめてから景品交換することができる。
【００９９】
プリンタ２０は、発行手段の一例であり、送信に関連する情報や音楽データに関連する情報を記録して発行する機能を備えるものである。このプリンタ２０を備えることにより、図４（ｂ）に示すレシート９で、情報表示部９ａに送信先の電子メールアドレスや送信予定日時等の送信に関連する情報を印刷し、また情報表示部９ｂに歌詞やジャケット写真等の音楽データに関連する情報を印刷し、さらにバーコード表示部９ｃに景品交換の内容をバーコードとして印刷して、図２に示すレシート排出口２０ａから排出し、遊技者に提供することができる。
【０１００】
なお、特に音楽データに関連する情報を記録して発行する発行手段は、該情報をデジタルデータとして送信先に送信するもの（例えば前記通信部１１ａ），又は記録メディア７に記録するもの（例えば前記記録メディアライタ１７）でも良い。このように送信・記録された該情報は、例えば後述するパソコン５２，６２にデジタルデータとして取り込んで、歌詞やジャケット写真をプリンタで印刷したり、ジャケット写真をデスクトップ上に壁紙として表示したりして、多様に利用することができる。なお、記録メディア７がミニディスク（ＭＤ）である場合には、曲名データをデジタルデータとして記録することもできる。
【０１０１】
なお、景品交換装置１０は、図１に示すように、必要に応じて、制御部１２にバスを介して接続される予約カードストッカ１４，記録メディアライタ１７，及び記録メディアストッカ１８を備えている。これらは前記「予約・書込」（図５のＳ６００参照）において用いられるものである。
【０１０２】
予約カードストッカ１４は、予約情報が記録される前の生の予約カード６を貯蔵する機能，及びその予約カード６を取り出してカードリーダ１３に装着する機能を備えるものである。
【０１０３】
記録メディアライタ１７は、記録メディア書込手段の一例であり、景品交換された音楽データを所定の記録メディア７に書き込む（書き換える）機能，及び記録メディア７の空き容量を読み取る機能を備えるものである。この記録メディアライタ１７は、記録メディア７を受け付けるための記録メディア受付部を有し、この例では、図２に示すように、記録メディア７を挿入し排出するためのメディア挿入・排出口１７ａを有する。なお、記録メディア書込手段は、同様の機能を備えるものであれば、例えば記録メディア受付部の近傍にある記録メディア７と交信して、非接触でデジタル情報を書き込むもの（例えばブルートゥースに対応したもの）でも良い。
【０１０４】
さらに、この記録メディアライタ１７及びメディア挿入・排出口１７ａは、異なる記録メディア７の種類に応じた複数種類（図２に示される例では３種類）が備えられている。ただし、一の音楽データに対して複数の記録メディア７を同時に受け付けることはできないようになっている。
【０１０５】
記録メディアストッカ１８は、記録メディア貯蔵手段の一例であり、記録メディア７を貯蔵する機能，及びその記録メディア７を取り出して記録メディアライタ１７に装着する機能を備えるものである。この記録メディアストッカ１８を備えることにより、記録メディア７を記録メディアストッカ１８に予め貯蔵しておき、記録メディア７が選択された後に、記録メディアストッカ１８から記録メディア７を取り出して記録メディアライタ１７に装着し、景品交換された音楽データを記録メディア７に書き込み、その記録メディア７をメディア挿入・排出口１７ａから排出することができる。従って、記録メディア７を遊技者がその場で所持していない場合であっても、音楽データを書き込んだ記録メディア７を景品として提供することができる。なお、この場合において、記録メディア７の対価は、音楽データの対価と共に、前記有価価値の大きさから減算される。
【０１０６】
景品交換装置１０は、図２に示すように、矩形を呈する筐体の内部に、前述した通信部１１ａ，１１ｂ，制御部１２，カードリーダ１３，予約カードストッカ１４，ハードディスク１６，記録メディアライタ１７，記録メディアストッカ１８，及びプリンタ２０を備え（ここでは図示外）、その外部に、前述したカード挿入・排出口１３ａ，タッチパネル式ディスプレイ１５，３ヶ所のメディア挿入・排出口１７ａ，ヘッドフォン１９，及びレシート排出口２０ａを備えている。
【０１０７】
なお、予約カードストッカ１４，記録メディアライタ１７，及び記録メディアストッカ１８は、必要に応じて備えられていれば良い。これらを備えず、景品交換された音楽データの提供の方法を「送信」のみに特化した景品交換装置１０とすれば、装置の構成を簡略化することができる。また、景品交換装置１０は、前記のキオスク端末状の外観を呈するものには限られず、例えばパソコン状の外観を呈するものでも良い。
【０１０８】
図１に戻り、ホール管理装置３０は、通信部３１にバスを介して接続される制御部３２と、制御部３２にバスを介して接続される会員データベース（以下「会員ＤＢ」という。）３３，貯玉データベース（以下「貯玉ＤＢ」という。）３４，カードデータベース（以下「カードＤＢ」という。）３５，及び景品交換データベース（以下「景品交換ＤＢ」という。）３６等を備えている。
【０１０９】
通信部３１は、ＬＡＮ３ｂ等の通信回線を介して、ホール管理装置３０と景品交換装置１０との間の通信を司るものである。
【０１１０】
制御部３２は、計算機能を備えるＣＰＵ，メモリ機能を備えるＲＡＭ，及びシステムプログラムを備えるＲＯＭ等が、バスを介して接続されたコンピュータである。このＲＯＭには、例えば会員ＩＤ及び暗証番号を会員ＤＢ３３に照会するプログラム，貯玉データを貯玉ＤＢ３４から読み出すプログラム，貯玉データを貯玉ＤＢ３４に記録するプログラム，計数カード５から読み出された記録情報（カードＩＤ，カードの発行年月日・発行時間，及び計数玉数）をカードＤＢ３５に照会するプログラム，残玉数をカードＤＢ３５に記録するプログラム，並びに後述する景品交換データ及び着信や書込の報告等を景品交換ＤＢ３６に記録するプログラム等が記憶されている。
【０１１１】
会員ＤＢ３３は、会員カード４に記録されている記録情報（カードＩＤ，会員ナンバー等の会員ＩＤ）や、暗証番号や、会員である遊技者の住所，氏名，電話番号，電子メールアドレス，生年月日，及び性別等の登録情報を関連付けて、会員データとして蓄積するものである。なお、会員データには、例えば選択された音楽データを集計することにより把握される遊技者の好みに関する情報も含まれる。貯玉ＤＢ３４は、獲得玉の数を会員ＩＤと関連付けて、貯玉データとして蓄積するものである。
【０１１２】
カードＤＢ３５は、計数カード５に記録されている記録情報（カードＩＤ，カードの発行年月日・発行時間，及び計数玉数）を蓄積するものである。このカードＤＢ３５において、景品交換済の計数カード５については、その計数カード５に関する記録情報に景品交換済フラグが立てられ、景品交換済である旨が記録される。
【０１１３】
景品交換ＤＢ３６は、景品交換に供された景品（ここでは音楽データ）及びその対価の玉数を景品交換データとして蓄積し、また景品交換された音楽データが送信先に着信した旨の報告及び所定の記録メディア７に書き込まれた旨の報告を蓄積するものである。この景品交換データは、後の課金の際に利用され、また着信や書込の報告は、例えば音楽データが送信先に着信していない場合等のトラブル時において照会されて確認用に利用される。
【０１１４】
音楽配信サーバ４０は、デジタル情報配信手段の一例であり、通信部４１にバスを介して接続される制御部４２と、制御部４２にバスを介して接続される音楽データベース（以下「音楽ＤＢ」という。）４３，及びハードディスク４４等を備えており、音楽データを配信する機能を備えるものである。
【０１１５】
この音楽配信サーバ４０は、パチンコ店外に設けられる所定の機関であり、例えばレコード会社，プロバイダ，又はインターネット関連企業等が運営する音楽配信会社である。このように、所定の機関である音楽配信サーバ４０が音楽データの配信を行うことにより、著作権侵害の問題を生ずることなく、適法に音楽データの配信を行うことができる。
【０１１６】
通信部４１は、デジタル総合回線３ａ及びインターネット２等の通信回線を介して、音楽配信サーバ４０と、景品交換装置１０，遊技者の自宅５０，及び遊技者の友人宅６０との間の通信を司るものである。この通信部４１は、第一に前記「事前配信」方式において、音楽データの選択を受け付ける前（例えばパチンコ店の営業時間前，営業時間中の一定時間おき，及び／又は営業時間後等の任意のタイミング）に、音楽データを景品交換装置１０に予め配信する機能を備えるものである。また通信部４１は、第二に前記「その都度配信」方式において、景品交換装置１０から配信要求信号を受け、その配信要求信号に基づいて、音楽データを遊技者の自宅５０又は遊技者の友人宅６０に直接配信する機能，又は前記「予約・書込」（図５のＳ６００参照）が選択された場合に、音楽データを景品交換装置１０に配信する機能を備えるものである。
【０１１７】
制御部４２は、計算機能を備えるＣＰＵ，メモリ機能を備えるＲＡＭ，及びシステムプログラムを備えるＲＯＭ等が、バスを介して接続されたコンピュータである。このＲＯＭには、前記配信を行うプログラム，及び蓄積されている音楽データを音楽ＤＢ４３内で検索して読み出すプログラムが記憶されている。また、このＲＯＭには、必要に応じて、配信する音楽データを暗号化する暗号化プログラム，配信する音楽データを圧縮符号化する圧縮符号化プログラム，及び音楽データの配信と共に課金を行う課金プログラム等が記憶されている。
【０１１８】
音楽ＤＢ４３には、音楽データが蓄積されており、必要に応じて、歌詞やジャケット写真等の音楽データに関連する情報のデータも蓄積されている。これらのデータは、予め圧縮符号化されて蓄積されているが、圧縮符号化されていなくても良い。
【０１１９】
ハードディスク４４は、景品交換装置１０から音楽データの読出及び書込の報告を受信した場合や、音楽データを送信先に直接配信するために該音楽データを音楽配信サーバ４０から読み出した場合に、読出及び書込の報告及び読出の記録を記憶するものである。これらの報告や記録は、後の課金の際に利用される。
【０１２０】
遊技者の自宅５０には、ターミナルアダプタ５１に接続されるパソコン５２がある。また遊技者の友人宅６０には、ターミナルアダプタ６１に接続されるパソコン６２がある。
【０１２１】
ここでターミナルアダプタ５１，５２は、デジタル総合回線３ａ及びインターネット２等の通信回線を介して、遊技者の自宅５０又は遊技者の友人宅６０と、景品交換装置１０及び音楽配信サーバ４０との間の通信を司るものであり、第一に景品交換された音楽データを受信する機能，及び第二に音楽データの着信の報告を送信する機能を備えるものである。
【０１２２】
またパソコン５２，６２は、送信先の一例であり、遊技者に係る電子メールアドレス，又は遊技者の友人に係る電子メールアドレス等により特定されるものである。なお、送信先は、例えば電話番号等により特定される携帯情報端末（例えば携帯電話等）でも良い。このパソコン５２，６２は、ＣＰＵ，ＲＡＭ，ＲＯＭ，サウンドボード，及びハードディスク等を備え、ディスプレイ，キーボード，及びスピーカ等が接続される、一般的な構成のものである。
【０１２３】
このパソコン５２，６２では、音楽データ再生ソフトや電子メール閲覧ソフトがハードディスクに記憶されており、景品交換された音楽データや該音楽データに関連する情報（例えば歌詞やジャケット写真等）が添付ファイルとして添付され、必要に応じてメッセージが記録された電子メールを受信し、該電子メール及び添付ファイルを開くことにより、スピーカにより音楽データを再生することができ、ディスプレイにより歌詞やジャケット写真やメッセージ等を表示することができる。なお、受信した音楽データ等は、ハードディスクにより記憶しておくことができる。
【０１２４】
［３．景品交換装置１０の作用］
次に、本発明に係る景品交換装置１０の作用について説明する。まず前述した図５を参照して、景品交換装置１０の動作の概要を説明する。
【０１２５】
景品交換装置１０は、図５に示すＳ０００でスタートしてから、Ｓ１００の「記録媒体読取」（図６又は図７参照）で遊技機による遊技により遊技者の所有となった有価価値の大きさを特定可能な情報が記録された記録媒体の記録情報を読み取り、Ｓ２００に進む。ここで記録媒体は、例えば会員カード４や計数カード５等であり、記録情報は、例えば会員ＩＤや計数玉数等である。
【０１２６】
Ｓ２００の「選択受付」（図８又は図９参照）では例えば音楽データ等のデジタル情報の選択を受け付け、Ｓ３００の「減算処理」（図８又は図９参照）では、デジタル情報の対価を例えば所有玉の数等の有価価値の大きさから減算するための処理を行い、Ｓ４００の「送信先情報受付」（図１０参照）では例えば電子メールアドレスや電話番号等の送信先を特定可能な情報を受け付け、Ｓ５００に進む。なお、これらの順序は、例示のものには限定されず、例えば「選択受付」→「送信先情報受付」→「減算処理」の順序でも良く、また「送信先情報受付」→「選択受付」→「減算処理」の順序でも良い。
【０１２７】
Ｓ５００の「送信処理」（図１１参照）では景品交換されたデジタル情報を例えばパソコン５２，６２等の前記送信先を特定可能な情報から特定される送信先に送信するための処理を行い、Ｓ９９９でエンドに至る。
【０１２８】
なお遊技者が、送信先への送信ではなく所定の記録メディア７への書込によりデジタル情報の提供を受けることを選択した場合には、Ｓ３００の後にＳ６００を経てＳ９９９のエンドに至る。Ｓ６００の「予約・書込」（図１２参照）ではデジタル情報を予約した後に所定の記録メディア７に書き込むことができ、またデジタル情報をその場で所定の記録メディア７に書き込むことができる。
【０１２９】
次に景品交換装置１０の動作の一例を表すフローチャートである図６〜図１２を参照して、景品交換装置１０の動作を各ステップ毎に説明する。なお、図６〜図１２の各ステップに付された符号（Ｓ○○○）における百の位の数字は、前述した図５の各ステップに付された符号における百の位の数字と同一である。
【０１３０】
図６は、会員カード４を用いた場合における「記録媒体読取」に関する景品交換装置１０の動作の一例を表すフローチャートである。
【０１３１】
景品交換装置１０は、図６に示すＳ０００でスタートしてから、Ｓ１０１でカードリーダ１３により会員カード４を受け付け、Ｓ１０２でカードリーダ１３により会員ＩＤを読み取り、Ｓ１０３でタッチパネル式ディスプレイ１５により暗証番号を受け付け、Ｓ１０４で会員ＩＤ及び暗証番号をホール管理装置３０に送信し、待機の後、Ｓ１０５で貯玉データ又はＮＧ信号をホール管理装置３０から受信し、Ｓ１０６に進む。
【０１３２】
Ｓ１０６では前記受信の結果に基づいて、会員カード４が正当であるか否かの判断を行う。このＳ１０６でＮＧ信号をホール管理装置３０から受信した場合には、会員カード４が正当でない（ＮＯ）と判断し、Ｓ１０７で会員カード４をカード挿入・排出口１３ａから排出する。一方、Ｓ１０６で貯玉データをホール管理装置３０から受信した場合には、会員カード４が正当である（ＹＥＳ）と判断し、Ｓ１０８で受信した貯玉データに基づいて、タッチパネル式ディスプレイ１５により貯玉数を表示し、「記録媒体読取」を終了して図８に進む。
【０１３３】
一方、図７は、計数カード５を用いた場合における「記録媒体読取」に関する景品交換装置１０の動作の一例を表すフローチャートである。
【０１３４】
景品交換装置１０は、図７に示すＳ０００でスタートしてから、Ｓ１０１’でカードリーダ１３により計数カード５を受け付け、Ｓ１０２’でカードリーダ１３により記録情報（カードＩＤ，カードの発行年月日・発行時間，及び計数玉数）を読み取り、Ｓ１０３’で記録情報をホール管理装置３０に送信し、待機の後、Ｓ１０４’でＯＫ信号又はＮＧ信号をホール管理装置３０から受信し、Ｓ１０５’に進む。
【０１３５】
Ｓ１０５’では前記受信の結果に基づいて、計数カード５が正当であるか否かの判断を行う。このＳ１０５’でＮＧ信号をホール管理装置３０から受信した場合には、計数カード５が正当でない（ＮＯ）と判断し、Ｓ１０６’で計数カード５をカード挿入・排出口１３ａから排出する。一方、Ｓ１０５’でＯＫ信号をホール管理装置３０から受信した場合には、計数カード５が正当である（ＹＥＳ）と判断し、Ｓ１０７’で記録情報に基づいて、タッチパネル式ディスプレイ１５により獲得玉数を表示し、「記録媒体読取」を終了して図９に進む。
【０１３６】
図８は、会員カード４を用いた場合における「選択受付」「減算処理」に関する景品交換装置１０の動作の一例を表すフローチャートである。
【０１３７】
景品交換装置１０は、図８に示すＳ２０１でタッチパネル式ディスプレイ１５によりハードディスク１６から読み出された音楽データのリスト８を表示し、Ｓ２０２でタッチパネル式ディスプレイ１５により音楽データの選択を受け付け、Ｓ２０３に進む。なお、Ｓ２０２では、複数の音楽データの選択や、発売前の音楽データの選択を受け付けることも可能である。
【０１３８】
Ｓ２０３では制御部１２により音楽データと景品交換するのに必要な玉数が貯玉数以下であるか否かの判断を行う。このＳ２０３で必要玉数が貯玉数以下でない（ＮＯ）と判断した場合には、Ｓ２０４で会員カード４をカード挿入・排出口１３ａから排出する。一方、Ｓ２０３で必要玉数が貯玉数以下である（ＹＥＳ）と判断した場合には、「選択受付」を終了してＳ３０１以下の「減算処理」に進む。
【０１３９】
Ｓ３０１では制御部１２により音楽データの対価を貯玉数から減算し、Ｓ３０２で景品交換データ（景品交換に供された音楽データ及びその対価の玉数）及び減算した貯玉データ（貯玉数）をホール管理装置３０に送信し、待機の後、Ｓ３０３で景品交換データ及び貯玉データの記録完了の報告をホール管理装置３０から受信し、Ｓ３０４で会員カード４をカード挿入・排出口１３ａから排出し、「減算処理」を終了して図１０に進む。
【０１４０】
一方、図９は、計数カード５を用いた場合における「選択受付」「減算処理」に関する景品交換装置１０の動作の一例を表すフローチャートである。
【０１４１】
景品交換装置１０は、図９に示すＳ２０１’でタッチパネル式ディスプレイ１５によりハードディスク１６から読み出された音楽データのリスト８を表示し、Ｓ２０２’でタッチパネル式ディスプレイ１５により音楽データの選択を受け付け、Ｓ２０３’に進む。なお、Ｓ２０２’では、複数の音楽データの選択や、発売前の音楽データの選択を受け付けることも可能である。
【０１４２】
Ｓ２０３’では制御部１２により音楽データと景品交換するのに必要な玉数が獲得玉数以下であるか否かの判断を行う。このＳ２０３’で必要玉数が獲得玉数以下でない（ＮＯ）と判断した場合には、Ｓ２０４’で計数カード５をカード挿入・排出口１３ａから排出する。一方、Ｓ２０３’で必要玉数が獲得玉数以下である（ＹＥＳ）と判断した場合には、「選択受付」を終了してＳ３０１’以下の「減算処理」に進む。
【０１４３】
Ｓ３０１’では制御部１２により音楽データの対価を獲得玉数から減算し、Ｓ３０２’に進む。Ｓ３０２’では減算した残玉数が所定数以上であるか否かの判断を行う。ここで「所定数」とは、そのパチンコ店における最安値の一般景品と景品交換するのに必要な玉数を意味する。この判断を行うのは、残玉数が所定数に満たなければ、最安値の一般景品とも景品交換することができないからである。
【０１４４】
このＳ３０２’で減算した残玉数が所定数以上である（ＹＥＳ）と判断した場合には、Ｓ３０３’で減算した残玉数を計数カード５に記録し、Ｓ３０４’で景品交換データ（景品交換に供された音楽データ及びその対価の玉数）及び減算した残玉数をホール管理装置３０に送信し、待機の後、Ｓ３０５’で景品交換データ及び残玉数の記録完了の報告をホール管理装置３０から受信し、Ｓ３０６’で計数カード５をカード挿入・排出口１３ａから排出し、「減算処理」を終了して図１０に進む。
【０１４５】
一方、Ｓ３０２’で減算した残玉数が所定数以上でない（ＮＯ）と判断した場合には、Ｓ３０７’で景品交換済信号（その計数カード５について景品交換済である旨を報告する信号）を生成し、Ｓ３０８’で景品交換データ（景品交換に供された音楽データ及びその対価の玉数），減算した残玉数，及び景品交換済信号をホール管理装置３０に送信し、待機の後、Ｓ３０９’で景品交換データ，残玉数，及び景品交換済の記録完了の報告をホール管理装置３０から受信し、Ｓ３１０’で計数カード５を景品交換装置１０の内部に取り込み、「減算処理」を終了して図１０に進む。
【０１４６】
図１０は、「送信先情報受付」に関する景品交換装置１０の動作の一例を表すフローチャートである。
【０１４７】
景品交換装置１０は、図１０に示すＳ４０１でタッチパネル式ディスプレイ１５により送信又は書込の選択、即ち景品交換された音楽データを送信先に送信するか，又は所定の記録メディア７に書き込むかの選択を受け付け、Ｓ４０２でその判断を行う。このＳ４０２で書込の選択を受け付けたと判断した場合には、「送信先情報受付」を終了して図１２に進む。一方、Ｓ４０２で送信の選択を受け付けたと判断した場合には、Ｓ４０３に進む。
【０１４８】
Ｓ４０３では送信先の選択、即ち会員である遊技者に係る電子メールアドレスとして登録されている電子メールアドレス（以下「登録アドレス」という。）に送信するか，又は新規の電子メールアドレス（以下「新規アドレス」という。）に送信するかの選択を受け付け、Ｓ４０４でその判断を行う。このＳ４０４で新規アドレスへの送信の選択を受け付けたと判断した場合には、Ｓ４０５でタッチパネル式ディスプレイ１５により遊技者の望む送信先に係る電子メールアドレスを受け付け、Ｓ４０８に進む。
【０１４９】
一方、Ｓ４０４で登録アドレスへの送信の選択を受け付けたと判断した場合には、Ｓ４０６で登録アドレスの送信を要求する信号（登録アドレス要求信号）をホール管理装置３０に送信し、Ｓ４０７に進む。ここで登録アドレス要求信号を受信したホール管理装置３０は、登録アドレスを会員ＤＢ３３から読み出して景品交換装置１０に送信する。Ｓ４０７では登録アドレスをホール管理装置３０から受信し、Ｓ４０８に進む。これらのステップによれば、電子メールアドレスをその都度受け付けなくても、会員である遊技者に係る電子メールアドレスを特定可能である。
【０１５０】
Ｓ４０８では遊技者の望む用途や都合に応じて、タッチパネル式ディスプレイ１５により景品交換された音楽データを送信先に送信する日時の指定を受け付け、Ｓ４０９で遊技者の望む用途に応じて、タッチパネル式ディスプレイ１５により景品交換された音楽データと共に送信先に送信されるメッセージを受け付け、Ｓ４１０でプリンタ２０により印刷したレシート９をレシート排出口２０ａから排出し、「送信先情報受付」を終了して図１１に進む。
【０１５１】
図１１（ａ）は、事前配信方式における「送信処理」に関する景品交換装置の動作の一例を表すフローチャートであり、図１１（ｂ）は、その都度配信方式における「送信処理」に関する景品交換装置の動作の一例を表すフローチャートである。
【０１５２】
まず、前記「事前配信」方式を採用する景品交換装置１０では、前提として、選択可能な発売中の全ての音楽データが予め音楽配信サーバ４０から配信され、ハードディスク１６に記憶されている。この景品交換装置１０は、図１１（ａ）に示すＳ５０１で楽曲ＩＤに基づいて、音楽データをハードディスク１６から読み出し、Ｓ５０２で読出の報告を音楽配信サーバ４０に送信し、待機の後、Ｓ５０３で読出の記録完了の報告を音楽配信サーバ４０から受信し、Ｓ５０４に進む。なお読出の報告は、音楽配信サーバ４０のハードディスク４４に記憶され、後の課金の際に利用される。
【０１５３】
Ｓ５０４では景品交換された音楽データ及び必要に応じて受け付けたメッセージを送信先に送信し、待機の後、Ｓ５０５で着信の報告を送信先から受信し、Ｓ５０６で着信の報告をホール管理装置３０に送信し、「送信処理」を終了してＳ９９９でエンドに至る。なお着信の報告は、ホール管理装置３０の景品交換ＤＢ３６に記憶され、トラブル時の確認用に利用される。
【０１５４】
一方、前記「その都度配信」方式を採用する景品交換装置１０は、図１１（ｂ）に示すＳ５０１’で景品交換された音楽データを送信先に配信することを要求する信号（配信要求信号）及び必要に応じて受け付けたメッセージを音楽配信サーバ４０に送信し、Ｓ５０２’に進む。ここで配信要求信号及びメッセージを受信した音楽配信サーバ４０は、楽曲ＩＤに基づいて音楽データをハードディスク４４から読み出し、該音楽データ及びメッセージを送信先に送信し、着信の報告を送信先から受信し、着信の報告を景品交換装置１０に送信する。なお読出の記録は、音楽配信サーバ４０のハードディスク４４に記憶され、後の課金の際に利用される。
【０１５５】
Ｓ５０２’では着信の報告を音楽配信サーバ４０から受信し、Ｓ５０３’で着信の報告をホール管理装置３０に送信し、「送信処理」を終了してＳ９９９でエンドに至る。なお着信の報告は、ホール管理装置３０の景品交換ＤＢ３６に記憶され、トラブル時の確認用に利用される。
【０１５６】
なお、発売前の音楽データが選択された場合には、該音楽データが発売された後に「送信処理」が実行される。また、送信日時が指定された場合には、該送信日時に「送信処理」が実行される。
【０１５７】
図１２は、「予約・書込」に関する景品交換装置１０の動作の一例を表すフローチャートである。
【０１５８】
景品交換装置１０は、図１２に示すＳ６０１で予約又は書込の選択、即ち音楽データを予約した後に所定の記録メディア７に書き込むか，又は音楽データをその場で所定の記録メディア７に書き込むかの選択を受け付け、Ｓ６０２でその判断を行う。なお、発売前の音楽データが選択された場合には、その場で書き込むことができないため、自動的に「予約」の選択を受け付けたものとされる。
【０１５９】
このＳ６０２で「予約」の選択を受け付けたと判断した場合には、Ｓ６０３で生の予約カード６を予約カードストッカ１４から取り出してカードリーダ１３に装着し、Ｓ６０４でカードＩＤと関連付けて楽曲ＩＤ等の予約情報をハードディスク１６に記憶し、バックアップを目的としてＳ６０５でカードリーダ１３により予約情報を予約カード６にも記録し、Ｓ６０６で予約カード６をカード挿入・排出口１３ａから排出し、「予約」を終了してＳ９９９でエンドに至る。
【０１６０】
なお、予約した音楽データを所定の記録メディア７に書き込んで受け取る（引き換える）場合には、予約カード６をカードリーダ１３に挿入すると、カードリーダ１３によりカードＩＤ及び予約情報が読み取られ、それらがハードディスク１６に記憶されている予約情報と照合され、予約カード６が正当であると判断される場合には、Ｓ６０７以下の「書込」に進む。
【０１６１】
一方、Ｓ６０２で「書込」の選択を受け付けたと判断した場合には、Ｓ６０７で記録メディアライタ１７により記録メディア７を受け付け、Ｓ６０８に進む。Ｓ６０８では制御部１２により音楽データを記録メディア７に書き込むのに必要な容量が空き容量以下であるか否かの判断を行う。このＳ６０８で必要容量が空き容量以下でない（ＮＯ）と判断した場合には、Ｓ６０９で記録メディア７をメディア挿入・排出口１７ａから排出する。一方、Ｓ６０８で必要容量が空き容量以下である（ＹＥＳ）と判断した場合には、Ｓ６１０に進む。
【０１６２】
Ｓ６１０では楽曲ＩＤに基づいて、音楽データをハードディスク１６から読み出し、Ｓ６１１で読出の報告を音楽配信サーバ４０に送信し、待機の後、Ｓ６１２で読出の記録完了の報告を音楽配信サーバ４０から受信し、Ｓ６１３に進む。なお読出の報告は、音楽配信サーバ４０のハードディスク４４に記憶され、後の課金の際に利用される。
【０１６３】
Ｓ６１３では記録メディアライタ１７により音楽データを記録メディア７に書き込み、Ｓ６１４で書込の報告をホール管理装置３０に送信し、待機の後、Ｓ６１５で書込の記録完了の報告をホール管理装置３０から受信し、Ｓ６１６に進む。なお書込の報告は、ホール管理装置３０の景品交換ＤＢ３６に記憶され、トラブル時の確認用に利用される。
【０１６４】
Ｓ６１６では音楽データが書き込まれた記録メディア７をメディア挿入・排出口１７ａから排出し、Ｓ６１７でプリンタ２０により印刷したレシート９をレシート排出口２０ａから排出し、「書込」を終了してＳ９９９でエンドに至る。
【０１６５】
なお、会員カード４を用いた場合におけるホール管理装置３０の動作は、その一例を表すフローチャートである図１３に示すように行われる。
【０１６６】
ホール管理装置３０は、図１３に示すＳ７００でスタートしてから、Ｓ７０１で会員ＩＤ及び暗証番号を景品交換装置１０から受信し、Ｓ７０２で会員ＩＤ及び暗証番号を会員ＤＢ３３に照会し、Ｓ７０３に進む。
【０１６７】
Ｓ７０３では前記照会の結果に基づいて、会員カード４が正当であるか否かの判断を行う。このＳ７０３で会員カード４が正当でない（ＮＯ）と判断した場合には、Ｓ７０４でＮＧ信号を景品交換装置１０に送信する。一方、Ｓ７０３で会員カード４が正当であると判断した場合には、Ｓ７０５で会員ＩＤと関連付けて記録されている貯玉データを貯玉ＤＢ３４から読み出し、Ｓ７０６で貯玉データを景品交換装置１０に送信し、待機の後、Ｓ７０７に進む。
【０１６８】
Ｓ７０７では景品交換データ（景品交換に供された音楽データ及びその対価の玉数）及び減算された貯玉データ（貯玉数）を景品交換装置１０から受信し、Ｓ７０８で景品交換データを景品交換ＤＢ３６に記録すると共に、Ｓ７０９で減算された貯玉データを貯玉ＤＢ３４に記録し、Ｓ７１０で景品交換データ及び貯玉データの記録完了の報告を景品交換装置１０に送信し、Ｓ７１１に進む。
【０１６９】
Ｓ７１１では着信又は書込の報告を景品交換装置１０から受信し、Ｓ７１２で着信又は書込の報告を景品交換ＤＢ３６に記録し、Ｓ７１３で着信又は書込の記録完了の報告を景品交換装置１０に送信し、Ｓ７１４でエンドに至る。
【０１７０】
また、計数カード５を用いた場合におけるホール管理装置３０の動作は、その一例を表すフローチャートである図１４に示すように行われる。
【０１７１】
ホール管理装置３０は、図１４に示すＳ７００’でスタートしてから、Ｓ７０１’で記録情報（カードＩＤ，カードの発行年月日・発行時間，及び計数玉数）を景品交換装置１０から受信し、Ｓ７０２’で記録情報をカードＤＢ３５に照会し、Ｓ７０３’に進む。
【０１７２】
Ｓ７０３’では前記照会の結果に基づいて、計数カード５が正当であるか否かの判断を行う。このＳ７０３’で計数カード５が正当でない（ＮＯ）と判断した場合には、Ｓ７０４’でＮＧ信号を景品交換装置１０に送信する。一方、Ｓ７０３’で計数カード５が正当であると判断した場合には、Ｓ７０５’でＯＫ信号を景品交換装置１０に送信し、待機の後、Ｓ７０６’で景品交換データ（景品交換に供された音楽データ及びその対価の玉数），減算された残玉数，及び場合に応じて景品交換済信号（その計数カード５について景品交換済である旨を報告する信号）を景品交換装置１０から受信し、Ｓ７０７’で景品交換データを景品交換ＤＢ３６に記録し、Ｓ７０８’に進む。
【０１７３】
Ｓ７０８’では景品交換済信号を受信したか否かの判断を行う。このＳ７０８’で景品交換済信号を受信していない（ＮＯ）と判断した場合には、Ｓ７０９’で減算された残玉数をカードＤＢ３５に記録し、Ｓ７１０’で景品交換データ及び残玉数の記録完了の報告を景品交換装置１０に送信し、Ｓ７１３’に進む。一方、Ｓ７０８’で景品交換済信号を受信した（ＹＥＳ）と判断した場合には、Ｓ７１１’で減算された残玉数をカードＤＢ３５に記録すると共に、その計数カード５に関する記録情報に景品交換済フラグを立てて、景品交換済である旨を記録し、Ｓ７１２’で景品交換データ，残玉数，及び景品交換済の記録完了の報告を景品交換装置１０に送信し、Ｓ７１３’に進む。
【０１７４】
Ｓ７１３’では着信又は書込の報告を景品交換装置１０から受信し、Ｓ７１４’で着信又は書込の報告を景品交換ＤＢ３６に記録し、Ｓ７１５’で着信又は書込の記録完了の報告を景品交換装置１０に送信し、Ｓ７１６’でエンドに至る。
【０１７５】
なお、以上においては、例えば以下のような手順で課金及び決済が行われる。まず音楽配信サーバ４０が、ハードディスク４４に記憶された読出の報告や読出の記録に基づいて、音楽データの対価の支払いをパチンコ店に要求する。次に支払いを要求されたパチンコ店は、景品交換ＤＢ３６に記憶された景品交換データに基づいて確認を行い、音楽データの対価を音楽配信サーバ４０に支払う。
【０１７６】
なお課金及び決済の手順は、この例には限定されない。また決済は、この例のような事後的な決済以外に、オンラインによるリアルタイムの決済でも良い。さらに決済は、パチンコ店と音楽配信サーバ４０との直接的な決済以外に、それらの間に決済会社が介在する間接的な決済でも良い。
【０１７７】
次に図１５〜図１９を参照して、操作者から見た景品交換装置１０の動作を説明する。なお、以下においては、景品交換装置１０を操作する操作者が遊技者である場合を例に説明を行うが、操作者は例えばパチンコ店の店員であっても良い。
【０１７８】
図１５〜１９は、「記録媒体読取」から「送信先情報受付」までに関する景品交換装置１０の画面表示の一例を表す正面図である。なお「送信処理」は、景品交換装置１０において内部的に行われる処理であるため、表面的には表れない。
【０１７９】
景品交換装置１０においては、図１５に示すＤ８０１でタッチパネル式ディスプレイ１５により「スタート」の文字と共に、遊技者の興味を引くような今月の新譜のリスト８やプロモーションビデオ等が表示されており、遊技者が「スタート」の部位に触れると、Ｄ８０２に進む。
【０１８０】
Ｄ８０２では会員カード４又は計数カード５の挿入（受付）を指示する文字が表示され、遊技者が会員カード４をカード挿入・排出口１３ａに挿入すると、Ｄ８０３に進む。Ｄ８０３では暗証番号の入力（受付）を指示する文字が表示され、遊技者が「テンキー」の適宜の部位に触れて暗証番号を入力すると、暗証番号が「＊＊＊＊」のように伏せ字で表示され、遊技者が「決定」の部位に触れると、会員カード４及び暗証番号が正当であるか否かの判断が行われる。
【０１８１】
このＤ８０３で会員カード４又は暗証番号が正当でないと判断される場合には、Ｄ８０４でその旨が表示されると共に、会員カード４がカード挿入・排出口１３ａから排出される。一方、Ｄ８０３で会員カード４及び暗証番号が正当であると判断される場合には、Ｄ８０５で会員ナンバーや会員氏名と共に、受信した貯玉データに基づいて貯玉数が表示され、遊技者が「次へ」の部位に触れると、Ｄ８０７に進む。
【０１８２】
また、Ｄ８０２で遊技者が計数カード５をカード挿入・排出口１３ａに挿入すると、計数カード５が正当であるか否かの判断が行われる。このＤ８０２で計数カード５が正当でないと判断される場合には、Ｄ８０４でその旨が表示されると共に、計数カード５がカード挿入・排出口１３ａから排出される。一方、Ｄ８０２で計数カード５が正当であると判断される場合には、Ｄ８０６で計数カード５の記録情報に基づいて獲得玉数が表示され、遊技者が「次へ」の部位に触れると、Ｄ８０７に進む。
【０１８３】
図１６に移り、Ｄ８０７では希望の音楽データの選択方法を問う文字が表示され、遊技者が「今月の新譜から選択」の部位に触れると、Ｄ８０９に進む。一方、Ｄ８０７で遊技者が「曲名から選択」又は「歌手名から選択」の部位に触れると、Ｄ８０８で希望の曲又は歌手の頭文字を問う文字が表示され、遊技者が「五十音キー」の適宜の部位に触れて頭文字を入力すると、Ｄ８０９に進む。
【０１８４】
Ｄ８０９では遊技者が所有する貯玉数（獲得玉数）及びリスト８と共に、希望の音楽データ（曲）の選択（予約）を指示する文字が表示される。このリスト８には、図４（ａ）にも示すように、発売の予定，試聴の可否，曲名，歌手名，景品交換するのに必要な玉数，及び音楽データの容量が、選択可能な曲毎に表示されている。
【０１８５】
このＤ８０９で遊技者が、希望の曲の必要玉数が貯玉数（獲得玉数）以下となるように考慮しながら、リスト８上の適宜の部位に触れて単数又は複数の希望の曲を選択し、「決定」の部位に触れると、Ｄ８１０に進む。なお、このＤ８０９で、発売予定日が「□月□日」と表示された曲を選択すると、遊技者は発売前のその曲を予約することができる。また、希望の曲を選択し、かつ「試聴」の部位に触れると、ヘッドフォン１９を装着した遊技者はその曲を試聴することができる。
【０１８６】
Ｄ８１０では選択された曲の曲名及び歌手名と共に、選択の正否を確認する文字が表示され、遊技者が「はい」の部位に触れ、選択が正当である旨を回答すると、必要玉数が貯玉数（獲得玉数）以下であるか否かの判断が行われる。このＤ８１０でそれがＮＯと判断される場合には、Ｄ８１１でその旨が表示されると共に、会員カード４又は計数カード５がカード挿入・排出口１３ａから排出される。一方、Ｄ８１０でそれがＹＥＳと判断される場合には、Ｄ８１２に進む。なお、Ｄ８１０で遊技者が「いいえ」の部位に触れ、選択が正当でない旨を回答すると、Ｄ８０９（又はＤ８０７）の選択画面に戻る。
【０１８７】
Ｄ８１２では減算処理が行われて、景品交換に用いられた貯玉数（獲得玉数），及び減算後の残玉数が表示され、遊技者が「次へ」の部位に触れると、会員カード４が受け付けられている場合にはＤ８１４に進み、計数カード５が受け付けられている場合にはＤ８１５に進む。
【０１８８】
なお、計数カード５が受け付けられ、かつ減算後の残玉数が所定数（そのパチンコ店における最安値の一般景品と景品交換するのに必要な玉数）以下である場合には、Ｄ８１０からＤ８１３に進み、Ｄ８１３では景品交換に用いられた獲得玉数，及び減算後の残玉数と共に、計数カード５を取り込む旨が表示されて、計数カード５が景品交換装置１０の内部に取り込まれ、遊技者が「次へ」の部位に触れると、Ｄ８１６に進む。
【０１８９】
図１７に移り、Ｄ８１４では会員カード４の取出を指示する文字が表示され、遊技者が会員カード４をカード挿入・排出口１３ａから取り出すと、Ｄ８１６に進む。一方、Ｄ８１５では計数カード５の取出を指示する文字が表示され、遊技者が計数カード５をカード挿入・排出口１３ａから取り出すと、Ｄ８１６に進む。
【０１９０】
Ｄ８１６では音楽データの受取方法の選択、即ち送信先に送信するか，又は記録メディア７に書き込むかの選択を指示する文字が表示され、遊技者が「記録メディアに書込」の部位に触れ、記録メディア７に書き込むことを選択すると、図１９の「予約・書込」に進む。一方、Ｄ８１６で遊技者が「メール送信」の部位に触れ、送信先に送信することを選択するとＤ８１７に進む。
【０１９１】
Ｄ８１７では送信先の選択、即ち前記登録アドレスに送信するか，又は前記新規アドレスに送信するかの選択を指示する文字が表示され、遊技者が「新規アドレス」の部位に触れると、Ｄ８１８で電子メールアドレスの入力を指示する文字が表示され、遊技者が「キーボード」の適宜の部位に触れて電子メールアドレス（ここでは「abc@def.com」）を入力し、「決定」の部位に触れると、Ｄ８１９に進む。一方、Ｄ８１７で遊技者が「登録アドレス」の部位に触れると、登録アドレス要求信号をホール管理装置３０に送信し、登録アドレスをホール管理装置３０から受信して、Ｄ８１９に進む。
【０１９２】
Ｄ８１９では送信日時を指定するか否かを問う文字が表示され、遊技者が「はい」の部位に触れ、送信日時を指定する旨を回答すると、Ｄ８２０で送信日時の入力を指示する文字が表示され、遊技者が「テンキー」の適宜の部位に触れて送信日時（ここでは「□月□日  □時□分」）を入力し、「決定」の部位に触れると、Ｄ８２１に進む。一方、Ｄ８１９で遊技者が「いいえ」の部位に触れ、送信日時を指定しない旨を回答すると、Ｄ８２１に進む。
【０１９３】
図１８に移り、Ｄ８２１ではメッセージを送信するか否かを問う文字が表示され、遊技者が「はい」の部位に触れ、メッセージを送信する旨を回答すると、Ｄ８２２でメッセージの入力を指示する文字が表示され、遊技者が「キーボード」の適宜の部位に触れてメッセージ（ここでは「お誕生日おめでとう  ××さんへ××より」）を入力し、「決定」の部位に触れると、Ｄ８２３に進む。一方、Ｄ８２１で遊技者が「いいえ」の部位に触れ、メッセージを送信しない旨を回答すると、Ｄ８２３に進む。
【０１９４】
Ｄ８２３では送信先の電子メールアドレス，送信日時，及びメッセージの正否を確認する文字が表示され、遊技者が「はい」の部位に触れ、それらが正当である旨を回答すると、Ｄ８２４に進む。なお、Ｄ８２３で遊技者が「いいえ」の部位に触れ、それらが正当でない旨を回答すると、Ｄ８１７に戻る。
【０１９５】
Ｄ８２４ではレシート９の持ち帰りを指示する文字が表示され、遊技者がレシート排出口２０ａからレシート９を取り出すと、「記録媒体読取」から「送信先情報受付」までの動作が終了する。
【０１９６】
ここで、景品交換された音楽データ及び入力されたメッセージは、その後に「送信処理」が実行されることにより、景品交換装置１０又は音楽配信サーバ４０から送信先に送信される。なお、発売前の音楽データが選択された場合には、該音楽データが発売された後に「送信処理」が実行される。また、送信日時が指定された場合には、該送信日時に「送信処理」が実行される。
【０１９７】
図１９は、「予約・書込」に関する景品交換装置の画面表示の一例を表す正面図である。
【０１９８】
景品交換装置１０においては、前記Ｄ８１６から図１９に示すＤ９０１に進み、Ｄ９０１では予約するか否かの選択、即ち音楽データを予約した後に所定の記録メディア７に書き込むか，又は音楽データをその場で所定の記録メディア７に書き込むかの選択を指示する文字が表示され、遊技者が「はい」の部位に触れ、「予約」を選択した旨を回答すると、Ｄ９０２で予約カード６の取出を指示する文字が表示され、遊技者がカード挿入・排出口１３ａから予約カード６を取り出すと、「予約」の動作が終了する。なお、発売前の音楽データが選択された場合には、その場で書き込むことができないため、自動的に「予約」の選択を受け付けたものとされる。
【０１９９】
なお、予約した音楽データを所定の記録メディア７に書き込んで受け取る（引き換える）場合には、予約カード６をカードリーダ１３に挿入すると、カードリーダ１３によりカードＩＤ及び予約情報が読み取られ、それらがハードディスク１６に記憶されている予約情報と照合され、予約カード６が正当であると判断される場合には、Ｄ９０３以下の「書込」に進む。
【０２００】
一方、Ｄ９０１で遊技者が「いいえ」の部位に触れ、「書込」を選択した旨を回答すると、Ｄ９０３で記録メディア７の挿入（受付）を指示する文字が表示され、遊技者が記録メディア７（ここではＭＤ）をメディア挿入・排出口１７ａに挿入すると、必要容量が空き容量以下であるか否かの判断が行われる。このＤ９０３でそれがＮＯと判断される場合には、Ｄ９０４でその旨が表示されると共に、記録メディア７がメディア挿入・排出口１７ａから排出される。一方、Ｄ９０３でそれがＹＥＳと判断される場合には、Ｄ９０５に進む。
【０２０１】
Ｄ９０５では記録メディアライタ１７により景品交換された音楽データが記録メディア７に書き込まれ、Ｄ９０６で書込終了後の記録メディア７の空き容量と共に、記録メディア７の取出を指示する文字が表示され、遊技者が記録メディア７（ここではＭＤ）をメディア挿入・排出口１７ａから取り出すと、Ｄ９０７でレシート９の持ち帰りを指示する文字が表示され、遊技者がレシート９を取り出すと、「書込」が終了する。
【０２０２】
［４．景品交換装置１０の変形例］
最後に、本発明に係る景品交換装置１０の変形例について説明する。
【０２０３】
まず、音楽データは、音楽配信サーバ４０から配信されるものには限られず、あたかもディスクチェンジ式のカラオケ装置のように、記憶媒体（例えばデジタル多用途ディスクを利用した読出専用メモリ（ＤＶＤ−ＲＯＭ）等）に予め記憶され、景品交換装置１０に取り付けられた記憶媒体から読み出されることにより景品として提供され、記憶媒体を取り替えることにより、音楽データの内容が更新されるものでも良い。即ち、音楽データは、必ずしも音楽配信サーバ４０から配信されるものには限られない。
【０２０４】
また、音楽データは、タッチパネル式ディスプレイ１５に表示されるリスト８から選択されるものには限られず、あたかもカラオケボックスにおける選曲のように、予め配布される歌本に記載されたコード番号を入力することにより選択されるものでも良い。
【０２０５】
さらに、音楽データは、必ずしも有料で提供されるものには限られず、例えばパチンコ店と音楽配信サーバ４０とのタイアップにより，又は宣伝を目的として無料で提供されるものでも良い。この場合には、前記音楽データの対価はゼロとして計算される。
【０２０６】
なお、有価価値は、パチンコ機において獲得玉として払い出されるパチンコ玉には限られず、例えばスロットマシンにおけるメダルや、点数や、さらには後述する画像式のパチンコ機やスロットマシン等における画像にて形成されたパチンコ玉やメダル等でも良く、遊技機による遊技により遊技者の所有となる有価価値であれば、その形態は特に限定されるものではない。
【０２０７】
また、遊技機は、パチンコ玉が外部に払い出される通常のパチンコ機には限られず、例えばそのパチンコ玉が指触不能に封入された封入式パチンコ機や、メダルが外部に払い出されることなく遊技可能なクレジット式のスロットマシンや、さらにはパチンコ玉やメダル等を用いずにデータ等により遊技可能な遊技機や、遊技盤やパチンコ玉が画像にて表示される画像式のパチンコ機や、リールが画像にて表示される画像式のスロットマシン等でも良く、その形態は特に限定されるものではない。
【０２０８】
さらに、景品交換装置１０が適用される場所は、パチンコ店には限られず、例えばゲームセンターやボーリング場等の遊技場であっても良い。
【０２１０】
【発明の効果】
まず、請求項１に係る発明によれば、遊技場内に設けられる景品交換装置において、景品交換で提供されるデジタル情報が、遊技場外のデジタル情報配信手段から予め受信して記憶され、該景品交換するデジタル情報が選択されると共に、送信先を特定可能な送信先特定情報を受け付けると、該選択されたデジタル情報が、前記記憶しているデジタル情報の中から抽出され、該抽出されたデジタル情報が、前記受け付けた送信先特定情報から特定される送信先に送信されるので、遊技機による遊技により遊技者の所有となった有価価値の大きさを音楽データ等のデジタル情報（デジタルコンテンツ）と景品交換して、該景品交換されたデジタル情報を提供するにあたり、該デジタル情報を所定の記録メディアに書き込む必要がないような景品交換装置を提供することができる。
【０２１１】
即ち、請求項１に係る発明によれば、景品交換されたデジタル情報を提供するにあたり、該デジタル情報を指定の送信先に送信することができるので、該デジタル情報を所定の記録メディアに書き込む必要がなく、書込に要する待ち時間が不要であるという効果を奏する。
また、景品交換されたデジタル情報を提供するにあたり、例えば送信先を特定可能な情報として遊技者に係る電子メールアドレスを受け付けた場合には、景品交換されたデジタル情報を送信先である遊技者の自宅にあるパソコンに送信することができるので、該デジタル情報を所定の記録メディアに書き込む必要がなく、遊技者が所定の記録メディアをその場に所持していない場合であっても、該デジタル情報を遊技者に提供することができるという効果を奏し、遊技者の利便性を向上させることができる。
【０２１２】
また、請求項２に係る発明によれば、請求項１に係る発明の効果に加えて、選択頻度が所定の頻度より低いデジタル情報は、デジタル情報記憶手段から消去されるので、該デジタル情報記憶手段の記憶容量を有効に活用することができ、空いた記憶容量を活用して、ニーズが高いデジタル情報を優先的に提供することができるという効果を奏する。
【０２１３】
また、請求項３に係る発明によれば、請求項１又は２に係る発明の効果に加えて、選択受付手段が表示手段を有するので、選択可能なデジタル情報のリストを見ながら、デジタル情報を容易に選択することができるという効果を奏する。
【０２１４】
また、請求項４に係る発明によれば、請求項１〜３のいずれか１つに係る発明の効果に加えて、送信処理手段が、抽出されたデジタル情報と共に該デジタル情報に関連する情報を送信先に送信するための処理を行うので、歌詞やジャケット写真等のデジタル情報に関連する情報を、デジタルデータとして送信先に送信し、景品交換されたデジタル情報と併せて提供することができるという効果を奏する。
【０２１５】
また、請求項５に係る発明によれば、請求項１〜４のいずれか１つに係る発明の効果に加えて、選択可能なデジタル情報として発売前のデジタル情報も含むので、遊技者にとって便利であるという効果を奏する。
【０２１８】
また、請求項６に係る発明によれば、請求項１〜５のいずれか１つに係る発明の効果に加えて、景品交換装置が送信日時指定受付手段を備えるので、選択されたデジタル情報を指定の日時に送信先に送信することができるという効果を奏し、遊技者の望む用途や遊技者の都合に合わせることができる。
【０２１９】
また、請求項７に係る発明によれば、請求項１〜６のいずれか１つに係る発明の効果に加えて、景品交換装置がメッセージ受付手段を備えるので、選択されたデジタル情報と共にメッセージを送信先に送信することができるという効果を奏し、遊技者の望む用途に合わせることができる。
【０２２０】
また、請求項９に係る発明によれば、請求項１〜８のいずれか１つに係る発明の効果に加えて、送信先を特定可能な情報が電子メールアドレスであるので、選択されたデジタル情報を電子メールアドレスにより特定されるパソコン等の送信先に送信することができるという効果を奏する。
【０２２１】
また、請求項１０に係る発明によれば、請求項１〜８のいずれか１つに係る発明の効果に加えて、送信先を特定可能な情報が電話番号であるので、選択されたデジタル情報を電話番号により特定される携帯電話等の送信先に送信することができるという効果を奏する。
【０２２２】
また、請求項１１に係る発明によれば、請求項１〜１０のいずれか１つに係る発明の効果に加えて、デジタル情報が、デジタル音楽情報，デジタル文字情報，及びデジタル画像情報から選択される一種以上からなる情報であるので、様々な場面に応じて多様なデジタル情報を提供することができるという効果を奏する。
【０２２３】
また、請求項１２に係る発明によれば、請求項１１に係る発明の効果に加えて、景品交換装置が試聴手段を備えるので、デジタル情報がデジタル音楽情報を含む場合に、そのデジタル音楽情報の内容を確かめてから景品交換することができるという効果を奏する。
【０２２４】
さらに、請求項１３に係る発明によれば、請求項１〜１２のいずれか１つに係る発明の効果に加えて、景品交換装置が発行手段を備えるので、送信先の電子メールアドレスや送信予定日時等の送信に関連する情報を、例えば確認証であるレシートに印刷して記録し、景品交換されたデジタル情報と併せて提供することができるという効果を奏し、デジタル情報が送信先に着信していない場合等のトラブル時において、景品交換の内容を容易に確認することができる。
【図面の簡単な説明】
【図１】図１は、景品交換装置を含む景品交換システムの構成の一例を表す機能ブロック図である。
【図２】図２は、景品交換装置の外観の一例を表す斜視図である。
【図３】図３（ａ）は、会員カードの一例を表す正面図であり、図３（ｂ）は、計数カードの一例を表す正面図であり、図３（ｃ）は、予約カードの一例を表す正面図である。
【図４】図４（ａ）は、音楽データのリストの一例を表す正面図であり、図４（ｂ）は、レシートの一例を表す正面図である。
【図５】図５は、景品交換装置の動作の概要を表すフローチャートである。
【図６】図６は、会員カードを用いた場合における「記録媒体読取」に関する景品交換装置の動作の一例を表すフローチャートである。
【図７】図７は、計数カードを用いた場合における「記録媒体読取」に関する景品交換装置の動作の一例を表すフローチャートである。
【図８】図８は、会員カードを用いた場合における「選択受付」「減算処理」に関する景品交換装置の動作の一例を表すフローチャートである。
【図９】図９は、計数カードを用いた場合における「選択受付」「減算処理」に関する景品交換装置の動作の一例を表すフローチャートである。
【図１０】図１０は、「送信先情報受付」に関する景品交換装置の動作の一例を表すフローチャートである。
【図１１】図１１（ａ）は、事前配信方式における「送信処理」に関する景品交換装置の動作の一例を表すフローチャートであり、図１１（ｂ）は、その都度配信方式における「送信処理」に関する景品交換装置の動作の一例を表すフローチャートである。
【図１２】図１２は、「予約・書込」に関する景品交換装置の動作の一例を表すフローチャートである。
【図１３】図１３は、会員カードを用いた場合におけるホール管理装置の動作の一例を表すフローチャートである。
【図１４】図１４は、計数カードを用いた場合におけるホール管理装置の動作の一例を表すフローチャートである。
【図１５】図１５は、「記録媒体読取」から「送信先情報受付」までに関する景品交換装置の画面表示の一例を表す正面図である。
【図１６】図１６は、図１５に続く図である。
【図１７】図１７は、図１６に続く図である。
【図１８】図１８は、図１７に続く図である。
【図１９】図１９は、「予約・書込」に関する景品交換装置の画面表示の一例を表す正面図である。
【符号の説明】
１…景品交換システム
２…インターネット
３ａ…デジタル総合回線
３ｂ…ＬＡＮ
４…会員カード
４ａ…磁気ストライプ部
５…計数カード
５ａ…磁気ストライプ部
５ｂ…玉数表示部
６…予約カード
６ａ…磁気ストライプ部
６ｂ…情報表示部
７…記録メディア
８…リスト
９…レシート
９ａ…情報表示部
９ｂ…情報表示部
９ｃ…バーコード表示部
１０…景品交換装置
１１ａ…通信部
１１ｂ…通信部
１２…制御部
１３…カードリーダ
１３ａ…カード挿入・排出口
１４…予約カードストッカ
１５…タッチパネル式ディスプレイ
１６…ハードディスク
１７…記録メディアライタ
１７ａ…メディア挿入・排出口
１８…記録メディアストッカ
１９…ヘッドフォン
２０…プリンタ
２０ａ…レシート排出口
３０…ホール管理装置
３１ａ…通信部
３１ｂ…通信部
３２…制御部
３３…会員ＤＢ
３４…貯玉ＤＢ
３５…カードＤＢ
３６…景品交換ＤＢ
４０…音楽配信サーバ
４１…通信部
４２…制御部
４３…音楽ＤＢ
４４…ハードディスク
５０…遊技者の自宅
５１…ターミナルアダプタ
５２…パソコン
６０…遊技者の友人宅
６１…ターミナルアダプタ
６２…パソコン
【図１】
0004637336.tif 000002
【図２】
0004637336.tif 000003
【図３】
0004637336.tif 000004
【図４】
0004637336.tif 000005
【図５】
0004637336.tif 000006
【図６】
0004637336.tif 000007
【図７】
0004637336.tif 000008
【図８】
0004637336.tif 000009
【図９】
0004637336.tif 000010
【図１０】
0004637336.tif 000011
【図１１】
0004637336.tif 000012
【図１２】
0004637336.tif 000013
【図１３】
0004637336.tif 000014
【図１４】
0004637336.tif 000015
【図１５】
0004637336.tif 000016
【図１６】
0004637336.tif 000017
【図１７】
0004637336.tif 000018
【図１８】
0004637336.tif 000019
【図１９】
0004637336.tif 000020